(57)【特許請求の範囲】
【請求項１】
無線送受信ユニット（ＷＴＲＵ）であって、前記ＷＴＲＵは、無線ネットワークと通信し、前記ＷＴＲＵは、
プロセッサを備え、前記プロセッサは、
測定構成を前記無線ネットワークのノードから受信し、前記測定構成は、リモートアクセスポイントセルに対する相対的な前記ＷＴＲＵの位置に関連する１つまたは複数の位置測定を実行するための命令を含み、
第１の報告を生成し、前記第１の報告は、前記リモートアクセスポイントセルに対する相対的な前記ＷＴＲＵの前記位置に関連する第１の位置測定を含み、
前記第１の報告を前記無線ネットワークの前記ノードに送信し、
前記リモートアクセスポイントセルに対する相対的な前記ＷＴＲＵの前記位置に関連する最大Ｎの追加の位置測定を含む最大Ｎのさらなる報告を生成し、Ｎは、前記リモートアクセスポイントセルに対する相対的な前記ＷＴＲＵの前記位置に関連する前記１つまたは複数の位置測定を含む前記ＷＴＲＵによって生成される報告の最大数を示し、Ｎは、前記ＷＴＲＵによって自律的に決定されていて、
前記第１の位置測定または前記最大Ｎの追加の位置測定の少なくとも１つは、無線ネットワークサービスを要求することを決定し、
前記第１の位置測定または前記最大Ｎの追加の位置測定の前記少なくとも１つのための前記無線ネットワークサービスを利用し、
前記生成された最大Ｎのさらなる報告を前記無線ネットワークの前記ノードに送信し、
前記第１の報告または前記最大Ｎの報告のうちのいずれかの時に、前記ＷＴＲＵは前記リモートアクセスポイントセルについての近傍基準を満たしたことを示す近傍表示を前記ノードに送信する
ように構成されることを特徴とするＷＴＲＵ。
【請求項２】
前記プロセッサは、
要求を前記無線ネットワークサービスのための前記ノードに送信し、
前記無線ネットワークサービスのための肯定応答を受信し、前記肯定応答は、前記無線ネットワークサービスのための１つまたは複数のパラメータを含む
ようにさらに構成されることを特徴とする請求項１に記載のＷＴＲＵ。
【請求項３】
前記第１の位置測定または前記最大Ｎの追加の位置測定の前記少なくとも１つは、
前記無線ネットワークからのコマンド時に前記リモートアクセスポイントセルによって送信される共通パイロットチャネル（ＣＰＩＣＨ）、同期チャネル（ＳＣＨ）、またはブロードキャストチャネル（プライマリ共通制御物理チャネル）（ＢＣＨ  Ｐ−ＣＣＰＣＨ）の少なくとも１つに基づくことを特徴とする請求項１に記載のＷＴＲＵ。
【請求項４】
前記第１の位置測定または前記最大Ｎの追加の位置測定の前記少なくとも１つは、指定された周波数上で行われることを特徴とする請求項３に記載のＷＴＲＵ。
【請求項５】
前記無線ネットワークサービスのための１つまたは複数のパラメータは、ダウンリンクにおけるアイドル期間（ＩＰＤＬ）サポートまたは圧縮モードサポートの少なくとも１つのためのパラメータを含むことを特徴とする請求項１に記載のＷＴＲＵ。
【請求項６】
前記リモートアクセスポイントセルは、ピコセルまたはフェムトセルの少なくとも１つであることを特徴とする請求項１に記載のＷＴＲＵ。
【発明の詳細な説明】
【技術分野】
【０００１】
本発明は、無線通信に関する。
【背景技術】
【０００２】
セルラ技術は、過去１０年間にわたって進化した。例えば、リリース５でのＨＳＤＰＡ（High Speed Downlink Packet Access）およびリリース６でのＨＳＵＰＡ（High Speed Uplink Packet Access）についての第３世代移動通信システムの進歩に伴って、より高いデータレートを得ることができる。これは、高品質音声サービスを提供し続けながらインターネットへの常時接続性を提供する新しいモバイルデバイスに門戸を開いた。仮想コミュニティおよびインターネットへの接続性を維持することの要求は、満足させるユーザ経験を提供できる新しいデバイスの出現と共に、既存ネットワークインフラストラクチャに対する需要を増やしてきた。
【０００３】
この高まる需要を満足するために、ネットワークオペレータは、新しいインフラストラクチャを展開し、かつ／または追加スペクトルを獲得してきた。トラフィックの増加を満足するのに使用されてもいる１つの戦略は、需要が多い区域で、フェムトセルまたはピコセルとも称するより小さいセルを展開することである。これらのフェムトセルは、通常、より大きいマクロセルの傘下に配置され、カバレージを拡張しないが、ビルディングおよび地下鉄の駅、コーヒーショップ、ショッピングモールなどの他の公共区域で使用可能スループットを高める。
【０００４】
フェムトセルＮｏｄｅＢ（すなわち、ＮｏｄｅＢ、ｅＮＢ、基地局（またはベースノード（base node））、アクセスポイントなど）は、通常のマクロセルＮｏｄｅＢと比較した時に、低コストで小型という利益を有する。しかし、フェムトセルＮｏｄｅＢは、通常、より少数のＵＥ（ユーザ機器）またはＷＴＲＵ（無線送受信ユニット）にサービスし、したがって、マクロセルＮｏｄｅＢと比較して非常に電力効率がよくはない。
【０００５】
通常の無線ネットワーク内の（マクロセルまたはフェムトセルに関する）ＮｏｄｅＢは、大量のエネルギを消費する場合がある。消費されるエネルギの一部は、データ情報を搬送するのに使用されるが、そのエネルギの大部分は、オーバーヘッド制御チャネルでも使用される。また、セルラネットワークは、それぞれの動作に必要なものより多くの電力を消費する可能性がある、例えば基地局およびＷＴＲＵなどのデバイスと、デバイスが特定の時または特定の時間期間に実施する可能性がある機能とを含む場合がある。
【発明の概要】
【０００６】
この「発明の概要」が、「発明を実施するための形態」で詳述される概念の選択物を単純化された形で紹介するために提供されることを了解されたい。この「発明の概要」は、請求される主題の主要な特徴または本質的特徴を識別することを意図されたものではなく、請求される主題の範囲を限定するために使用されることも意図されていない。さらに、請求される主題は、本開示のいずれかの部分で示される不利益のいずれかまたはすべてを解決する制限に限定されない。
【０００７】
実施形態は、基地局およびＷＴＲＵの動作および機能の管理が、それぞれの基地局のための、および他のネットワークリソースを節約するために、エネルギ（または電力）の節約を助けることができることを企図するものである。低利用の期間には、オペレータの展望から、よりエネルギ効率的であり、マクロであれフェムトであれ、全てのセルサイトの電力消費を減らすことが望ましい。ＮｏｄｅＢでのエネルギの節約は、ＵＭＴＳ（Universal Mobile Telecommunications System）およびＬＴＥ（Long Term Evolution）に有益である可能性がある。
【０００８】
実施形態は、エネルギ節約の展望から、１つまたは複数のＮｏｄｅＢの電力消費を減らすことが望ましい可能性があることを企図する。やはり企図されているのが、任意の特定の時に少数のＷＴＲＵだけにサービスする可能性があり、長い時間期間にわたってアイドルになる可能性があるフェムトセルである。実施形態は、これらのセルを省電力モードにすべき時およびこれらを通常状態に戻すべき時の判定を企図する。やはり企図されているのが、セルを省電力モードにするためにネットワーク（例えば、制御側無線ネットワーク制御装置（controlling radio network controller：ＣＲＮＣ）によって利用できる機構である。やはり企図されているのが、ＷＴＲＵが休眠セルを測定する機構である。
【０００９】
実施形態は、リモートアクセスポイントの電力消費を減らす方法および装置を企図する。休眠モードのセルを測定する方法も企図されている。実施形態は、セル近傍を判定する方法および低アクティビティ状態での測定のためにターゲットセルを制御する方法をも企図する。
【００１０】
実施形態は、ベースノード（または基地局）が無線ネットワークと通信でき、ベースノードが、１つまたは複数の省エネルギモードを判定するように構成され得、ベースノードを判定された１つまたは複数の省エネルギモードにすることができることを企図する。ベースノードを、省エネルギモード状況のインジケーションを提供するように構成することもできる。省エネルギモード状況のインジケーションは、送信されるマスタ情報ブロック（Master Information Block：ＭＩＢ）内で１つまたは複数のフラグをセットすること、共通パイロットチャネル（Common Pilot Channel）スクランブリングコードを変更すること、ページングメッセージを送信すること、または専用メッセージを送信することのうちの少なくとも１つを含むことができる。実施形態は、１つまたは複数の省エネルギモードの判定が、ＣＲＮＣによって提供される省エネルギモードスケジュールを判定することまたは低アクティビティ検出アルゴリズムに基づいて少量のアクティビティを判定することのうちの少なくとも１つを含むことができることを企図する。
【００１１】
実施形態は、１つまたは複数の基地局（またはベースノード）が、１つまたは複数の省エネルギモードに従って動作できることを企図する。省エネルギモードは、エネルギを節約するために、通常動作中により少ないシグナリングの使用を伴うことができる。例示的な第１の省エネルギモードによれば、基地局は、セルアクセス情報を含むことができるＭＩＢ（マスタ情報ブロック）メッセージおよびＳＩＢ（システム情報ブロック）メッセージをブロードキャストすることができ、いくつかの実施形態では、セルアクセス情報を含むことができるＭＩＢメッセージおよびＳＩＢメッセージを排他的にブロードキャストすることができる。例示的な第２の省エネルギモードによれば、基地局は、ＭＩＢメッセージメッセージをブロードキャストすることができ、いくつかの実施形態では、ＭＩＢメッセージを排他的にブロードキャストすることができる。例示的な第３の省エネルギモードによれば、基地局は、ＣＰＩＣＨ（共通パイロットチャネル）上でブロードキャストすることができ、いくつかの実施形態では、ＣＰＩＣＨ上で排他的にブロードキャストすることができる。例示的な第４の省エネルギモードによれば、基地局は、ユーザプレーンデータを送信することができ、いくつかの実施形態では、ユーザプレーンデータを排他的に送信することができ、アクセス関連ダウンリンクチャネル上で送信してはならない。
【００１２】
実施形態は、ＷＴＲＵが、無線ネットワークと通信していることができ、ＷＴＲＵが、少なくとも部分的に、ＷＴＲＵが休眠モードのセルの近傍内にある可能性があることを判定するように構成され得ることを企図する。ＷＴＲＵは、ＷＴＲＵのロケーションに関連する１つまたは複数の測定値を含むことができる第１の報告を生成するようにも構成され得る。ＷＴＲＵは、第１の報告をネットワークに送信し、ＷＴＲＵはセルに関連する１つまたは複数の測定を実行すべきであることのインジケーションを受信するようにも構成され得る。ＷＴＲＵは、セルに関連する１つまたは複数の測定を実行し、セルに関連する１つまたは複数の測定の結果を含むことができる第２の報告を生成することができ、第２の報告をネットワークに送信することができる。
【００１３】
実施形態は、無線ネットワークと通信していることができるベースノードを企図する。ベースノードを、ＷＴＲＵが休眠モードのセルの近傍内にある可能性があるかどうかを判定するためにＷＴＲＵが使用できるインジケータを提供するように少なくとも部分的に構成することができる。ベースノードを、ＷＴＲＵのロケーションに関連する１つまたは複数の測定値を含むことができる第１の報告を受信するように構成することができる。ベースノードは、第１の報告に少なくとも部分的に基づいてセルへのインジケーションを提供することもできる。セルへのインジケーションは、休眠モードから出るようにセルに指示することができる。実施形態は、セルへのインジケーションが、ＷＡＫＥ−ＵＰ  ＣＰＩＣＨ（共通パイロットチャネル）メッセージを含むことができることを企図する。ＷＡＫＥ−ＵＰ  ＣＰＩＣＨメッセージは、セルに、ＣＰＩＣＨまたはブロードキャストチャネル（プライマリ共通制御物理チャネル）（ＢＣＨ  Ｐ−ＣＣＰＣＨ）のうちの少なくとも１つを送信させることができる。ベースノードを、セルが休眠モードから出た可能性があることのインジケーションを受信するようにさらに構成することができ、ベースノードは、セルに関連する１つまたは複数の測定の結果を含むことができる第２の報告を生成するようにＷＴＲＵへのインジケーションを提供することができる。ベースノードを、ハンドオーバ条件を判定し、ハンドオーバ条件に少なくとも部分的に基づいてセルへのインジケーションを提供するように構成することもできる。実施形態は、セルへのインジケーションが、セルにアクティブモードに入らせることができることを企図する。ＷＡＫＥ−ＵＰ  ＣＰＩＣＨメッセージは、セルに、制限された時間期間の間にＣＰＩＣＨまたはＢＣＨ  Ｐ−ＣＣＰＣＨを送信させることができる。
【図面の簡単な説明】
【００１４】
より詳細な理解は、添付図面に関連して例として与えられる次の説明から得られる。
【００１５】
【図１Ａ】１つまたは複数の開示される実施形態を実施できる一例の通信システムを示すシステム図である。
【図１Ｂ】図１Ａに示された通信システム内で使用できる例のＷＴＲＵを示すシステム図である。
【図２】図１Ａに示された通信システム内で使用できる例の無線アクセスネットワークおよび例のコアネットワークを示すシステム図である。
【図３】ＷＴＲＵが休眠セルアクティブ化に関するロケーションベースのトリガを使用できる実施形態と一致する例示的なタイミング図を示す図である。
【図４】ＷＴＲＵが、ターゲットセルへのハンドオーバに進むべきか否かの休眠セルアクティブ化判定に関するロケーションベースのトリガを使用できる実施形態と一致する例示的なタイミング図を示す図である。
【図５】ＷＴＲＵが近傍インジケーションを提供でき、構成の後に低アクティビティモードのセルを測定できる実施形態と一致する例示的なタイミング図を示す図である。
【図６】ネットワークが、ターゲットセルへのハンドオーバに進むべきかどうかを判断できる実施形態と一致する例示的なタイミング図を示す図である。
【図７】ＷＴＲＵが、ハンドオーバを実行できる低アクティビティモードのセルを連続的に測定できる実施形態と一致する例示的なタイミング図を示す図である。
【図８】ＷＴＲＵが、ハンドオーバがない場合がある低アクティビティモードのセルを測定できる実施形態と一致する例示的なタイミング図を示す図である。
【図９】諸実施形態と一致するＷＴＲＵの例示的な自律測定および報告方法を示す図である。
【図１０】諸実施形態と一致する基地局のモードを管理する例示的方法を示す図である。
【発明を実施するための形態】
【００１６】
図１Ａは、１つまたは複数の開示される実施形態を実施できる一例の通信システム１００の図である。通信システム１００を、音声、データ、ビデオ、メッセージング、ブロードキャストなどのコンテンツを複数の無線ユーザに提供する多元接続システムとすることができる。通信システム１００は、複数の無線ユーザが、無線帯域幅を含むシステムリソースの共有を介してそのようなコンテンツにアクセスすることを可能にすることができる。例えば、通信システム１００は、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal FDMA）、ＳＣ−ＦＤＭＡ（single-carrier FDMA）などの１つまたは複数のチャネルアクセス方法を使用することができる。
【００１７】
図１Ａに示されているように、通信システム１００は、ＷＴＲＵ１０２ａ、１０２ｂ、１０２ｃ、１０２ｄ、ＲＡＮ（無線アクセスネットワーク）１０４、コアネットワーク１０６、ＰＳＴＮ（公衆交換電話網）１０８、インターネット１１０、および他のネットワーク１１２を含むことができるが、開示される実施形態が、任意の個数のＷＴＲＵ、基地局、ネットワーク、および／またはネットワーク要素を企図することを了解されたい。ＷＴＲＵ１０２ａ、１０２ｂ、１０２ｃ、１０２ｄのそれぞれを、無線環境内で動作し、かつ／または通信するように構成された任意のタイプのデバイスとすることができる。例えば、ＷＴＲＵ１０２ａ、１０２ｂ、１０２ｃ、１０２ｄを、無線信号を送信し、かつ／または受信するように構成することができ、ＷＴＲＵ１０２ａ、１０２ｂ、１０２ｃ、１０２ｄは、ＵＥ（ユーザ機器）、移動局、固定のまたは可動の加入者ユニット、ページャ、セルラ電話機、ＰＤＡ（携帯情報端末）、スマートホン、ラップトップ機、ネットブック、パーソナルコンピュータ、無線センサ、家庭用電化製品などを含むことができる。
【００１８】
通信システム１００は、基地局１１４ａおよび基地局１１４ｂをも含むことができる。基地局１１４ａ、１１４ｂのそれぞれは、コアネットワーク１０６、インターネット１１０、および／またはネットワーク１１２などの１つまたは複数の通信ネットワークへのアクセスを容易にするためにＷＴＲＵ１０２ａ、１０２ｂ、１０２ｃ、１０２ｄのうちの少なくとも１つと無線でインターフェースするように構成された任意のタイプのデバイスとすることができる。例えば、基地局１１４ａ、１１４ｂを、ＢＴＳ（Base Transceiver Station）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、ＡＰ（アクセスポイント）、無線ルータなどとすることができる。基地局１１４ａ、１１４ｂは、それぞれ単一の要素として図示されているが、基地局１１４ａ、１１４ｂが、任意の個数の相互接続された基地局および／またはネットワーク要素を含むことができることを了解されたい。
【００１９】
基地局１１４ａを、ＲＡＮ１０４の一部とすることができ、ＲＡＮ１０４は、他の基地局および／またはＢＳＣ（基地局制御装置）、ＲＮＣ（無線ネットワーク制御装置）、リレーノードなどのネットワーク要素（図示せず）を含むこともできる。基地局１１４ａおよび／または基地局１１４ｂを、セル（図示せず）と称する場合もある特定の地理的領域内で無線信号を送信し、かつ／または受信するように構成することができる。セルをセルセクタにさらに分割することができる。例えば、基地局１１４ａに関連するセルを３つのセクタに分割することができる。したがって、一実施形態では、基地局１１４ａは、３つのトランシーバすなわち、セルのセクタごとに１つのトランシーバを含むことができる。別の実施形態では、基地局１１４ａは、ＭＩＭＯ（multiple-input multiple output）技術を使用することができ、したがって、セルのセクタごとに複数のトランシーバを利用することができる。
【００２０】
基地局１１４ａ、１１４ｂは、エアインターフェース１１６を介してＷＴＲＵ１０２ａ、１０２ｂ、１０２ｃ、１０２ｄのうちの１つまたは複数と通信することができ、エアインターフェース１１６は、任意の適切な無線通信リンク（例えば、ＲＦ（ラジオ周波数）、マイクロ波、赤外線（ＩＲ）、紫外線（ＵＶ）、可視光など）とすることができる。エアインターフェース１１６を、任意の適切なＲＡＴ（radio access technology）を使用して確立することができる。
【００２１】
より具体的には、注記したように、通信システム１００は、多元接続システムとすることができ、ＣＤＭＡ、ＴＤＭＡ、ＦＤＭＡ、ＯＦＤＭＡ、ＳＣ−ＦＤＭＡなど、１つまたは複数のチャネルアクセス方式を使用することができる。例えば、ＲＡＮ１０４内の基地局１１４ａおよびＷＴＲＵ１０２ａ、１０２ｂ、１０２ｃは、ＵＴＲＡ（UMTS Terrestrial Radio Access）などの無線技術を実施することができ、ＵＴＲＡは、ＷＣＤＭＡ（wideband CDMA）を使用してエアインターフェース１１６を確立することができる。ＷＣＤＭＡは、ＨＳＰＡ（High Speed Packet Access）および／またはＨＳＰＡ＋（Evolved HSPA）などの通信プロトコルを含むことができる。ＨＳＰＡは、ＨＳＤＰＡおよび／またはＨＳＵＰＡを含むことができる。
【００２２】
もう１つの実施形態では、基地局１１４ａおよびＷＴＲＵ１０２ａ、１０２ｂ、１０２ｃは、Ｅ−ＵＴＲＡ（Evolved UMTS Terrestrial Radio Access）などの無線技術を実施することができ、Ｅ−ＵＴＲＡは、ＬＴＥおよび／またはＬＴＥ−Ａ（LTE-Advanced）を使用してエアインターフェース１１６を確立することができる。
【００２３】
他の実施形態では、基地局１１４ａおよびＷＴＲＵ１０２ａ、１０２ｂ、１０２ｃは、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile communications）、ＥＤＧＥ（Enhanced Data rates for GSM Evolution）、ＧＥＲＡＮ（GSM EDGE）などの無線技術を実施することができる。
【００２４】
図１Ａの基地局１１４ｂは、例えば無線ルータ、Ｈｏｍｅ  Ｎｏｄｅ  Ｂ、Ｈｏｍｅ  ｅＮｏｄｅ  Ｂ、またはアクセスポイントとすることができ、仕事場、家庭、車両、キャンパスなど、局所化された区域内での無線接続性を容易にするために任意の適切なＲＡＴを利用することができる。一実施形態では、基地局１１４ｂおよびＷＴＲＵ１０２ｃ、１０２ｄは、ＷＬＡＮ（無線ローカルエリアネットワーク）を確立するためにＩＥＥＥ８０２．１１などの無線技術を実施することができる。もう１つの実施形態では、基地局１１４ｂおよびＷＴＲＵ１０２ｃ、１０２ｄは、ＷＰＡＮ（無線パーソナルエリアネットワーク）を確立するためにＩＥＥＥ８０２．１５などの無線技術を実施することができる。もう１つの実施形態では、基地局１１４ｂおよびＷＴＲＵ１０２ｃ、１０２ｄは、ピコセルまたはフェムトセルを確立するためにセルラベースのＲＡＴ（例えば、ＷＣＤＭＡ、ＣＤＭＡ２０００、ＧＳＭ、ＬＴＥ、ＬＴＥ−Ａなど）を利用することができる。図１Ａに示されているように、基地局１１４ｂは、インターネット１１０への直接接続を有することができる。したがって、基地局１１４ｂは、コアネットワーク１０６を介してインターネット１１０にアクセスすることを要求されないものとすることができる。
【００２５】
ＲＡＮ１０４は、コアネットワーク１０６と通信しているものとすることができ、コアネットワーク１０６は、音声、データ、アプリケーション、および／またはＶｏＩＰ（voice over internet protocol）のサービスをＷＴＲＵ１０２ａ、１０２ｂ、１０２ｃ、１０２ｄの１つまたは複数に提供するように構成された任意のタイプのネットワークとすることができる。例えば、コアネットワーク１０６は、呼制御、請求サービス、モバイルの位置情報サービス、プリペイド呼、インターネット接続性、ビデオ配信などを提供し、かつ／またはユーザ認証などの高レベルセキュリティ機能を実行することができる。図１Ａには図示されていないが、ＲＡＮ１０４および／またはコアネットワーク１０６が、ＲＡＮ１０４と同一のＲＡＴまたは異なるＲＡＴを使用する他のＲＡＮと直接にまたは間接に通信していることができることを了解されたい。例えば、Ｅ−ＵＴＲＡ無線技術を利用している可能性があるＲＡＮ１０４に接続されることに加えて、コアネットワーク１０６は、ＧＳＭ無線技術を利用している別のＲＡＮ（図示せず）と通信していることもできる。
【００２６】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働くこともできる。ＰＳＴＮ１０８は、ＰＯＴＳ（plain old telephone service）を提供する回線交換電話網を含むことができる。インターネット１１０は、ＴＣＰ／ＩＰインターネットプロトコルスイート内のＴＣＰ、ＵＤＰおよびＩＰなどの共通の通信プロトコルを使用する相互接続されたコンピュータネットワークおよびデバイスのグローバルシステムを含むことができる。ネットワーク１１２は、他のサービスプロバイダによって所有され、かつ／または運営される有線または無線の通信ネットワークを含むことができる。例えば、ネットワーク１１２は、ＲＡＮ１０４と同一のＲＡＴまたは異なるＲＡＴを使用することができる１つまたは複数のＲＡＮに接続された別のコアネットワークを含むことができる。
【００２７】
通信システム１００内のＷＴＲＵ１０２ａ、１０２ｂ、１０２ｃ、１０２ｄの一部または全ては、マルチモード能力を含むことができる、すなわち、ＷＴＲＵ１０２ａ、１０２ｂ、１０２ｃ、１０２ｄは、異なる無線リンクを介して異なる無線ネットワークと通信する複数のトランシーバを含むことができる。例えば、図１Ａに示されたＷＴＲＵ１０２ｃを、セルラベースの無線技術を使用できる基地局１１４ａおよびＩＥＥＥ８０２無線技術を使用できる基地局１１４ｂと通信するように構成することができる。
【００２８】
図１Ｂは、例のＷＴＲＵ１０２のシステム図である。図１Ｂに示されているように、ＷＴＲＵ１０２は、プロセッサ１１８、トランシーバ１２０、送受信要素１２２、スピーカ／マイクロホン１２４、キーパッド１２６、ディスプレイ／タッチパッド１２８、非リムーバブルメモリ１３０、リムーバブルメモリ１３２、電源１３４、ＧＰＳ（全地球測位システム）チップセット１３６、および他の周辺機器１３８を含むことができる。ＷＴＲＵ１０２が、実施形態と一致しつつ、前述の要素の任意のサブコンビネーションを含むことができることを了解されたい。
【００２９】
プロセッサ１１８を、汎用プロセッサ、特殊目的プロセッサ、従来のプロセッサ、ＤＳＰ（ディジタル信号プロセッサ）、複数のマイクロプロセッサ、ＤＳＰコアに関連する１つもしくは複数のマイクロプロセッサ、コントローラ、マイクロコントローラ、ＡＳＩＣ（特定用途向け集積回路）、ＦＰＧＡ（フィールドプログラマブルゲートアレイ）回路、任意の他の種類のＩＣ（集積回路）、状態機械などとすることができる。プロセッサ１１８は、信号符号化、データ処理、電力制御、入出力処理および／またはＷＴＲＵ１０２が無線環境内で動作することを可能にする任意の他の機能性を実行することができる。プロセッサ１１８をトランシーバ１２０に結合することができ、トランシーバ１２０を送受信要素１２２に結合することができる。図１Ｂは、別々のコンポーネントとしてプロセッサ１１８およびトランシーバ１２０を示すが、プロセッサ１１８およびトランシーバ１２０を電子パッケージまたはチップ内に一緒に一体化することができることを了解されたい。
【００３０】
エアインターフェース１１６を介して基地局（例えば、基地局１１４ａ）へ信号を送信しまたはこれから信号を受信するように、送受信要素１２２を構成することができる。例えば、一実施形態では、送受信要素１２２を、ＲＦ信号を送信し、かつ／または受信するように構成されたアンテナとすることができる。もう１つの実施形態では、送受信要素１２２を、例えばＩＲ、ＵＶ、または可視光信号を送信し、かつ／または受信するように構成されたエミッタ／検出器とすることができる。もう１つの実施形態では、送受信要素１２２を、ＲＦ信号と光信号との両方を送信し、受信するように構成することができる。送受信要素１２２を、無線信号の任意の組合せを送信し、かつ／または受信するように構成することができることを了解されたい。
【００３１】
さらに、送受信要素１２２は、図１Ｂでは単一の要素として図示されているが、ＷＴＲＵ１０２は、任意の個数の送受信要素１２２を含むことができる。より具体的には、ＷＴＲＵ１０２は、ＭＩＭＯ技術を使用することができる。したがって、一実施形態では、ＷＴＲＵ１０２は、エアインターフェース１１６を介して無線信号を送信し、受信する複数の送受信要素１２２（例えば、複数のアンテナ）を含むことができる。
【００３２】
送受信要素１２２によって送信される信号を変調し、送受信要素１２２によって受信される信号を復調するように、トランシーバ１２０を構成することができる。注記したように、ＷＴＲＵ１０２は、マルチモード能力を有することができる。したがって、トランシーバ１２０は、ＷＴＲＵ１０２が例えばＵＴＲＡおよびＩＥＥＥ８０２．１１などの複数のＲＡＴを介して通信することを可能にする複数のトランシーバを含むことができる。
【００３３】
ＷＴＲＵ１０２のプロセッサ１１８は、スピーカ／マイクロホン１２４、キーパッド１２６および／またはディスプレイ／タッチパッド１２８（例えば、ＬＣＤ（液晶ディスプレイ）表示ユニットまたはＯＬＥＤ（有機発光ダイオード）表示ユニット）に結合され得、またはこれらからユーザ入力データを受け取ることができる。プロセッサ１１８は、ユーザデータをスピーカ／マイクロホン１２４、キーパッド１２６および／またはディスプレイ／タッチパッド１２８に出力することもできる。さらに、プロセッサ１１８は、非リムーバブルメモリ１３０および／またはリムーバブルメモリ１３２などの任意のタイプの適切なメモリからの情報にアクセスし、そのメモリにデータを格納することができる。非リムーバブルメモリ１３０は、ＲＡＭ、ＲＯＭ、ハードディスク、または任意の他の種類のメモリストレージデバイスを含むことができる。リムーバブルメモリ１３２は、ＳＩＭ（subscriber identity module）カード、メモリスティック、ＳＤ（secure digital）メモリカードなどを含むことができる。他の実施形態では、プロセッサ１１８は、サーバ上またはホームコンピュータ（図示せず）上など、ＷＴＲＵ１０２上に物理的に配置されていないメモリからの情報にアクセスし、そのメモリにデータを格納することができる。
【００３４】
プロセッサ１１８は、電源１３４から電力を受け取ることができ、ＷＴＲＵ１０２内の他のコンポーネントに電力を分配し、かつ／または制御するように構成され得る。電源１３４は、ＷＴＲＵ１０２に電力を供給する任意の適切なデバイスとすることができる。例えば、電源１３４は、１つまたは複数の乾電池（例えば、ＮｉＣｄ（ニッケル−カドミウム）、ＮｉＺｎ（ニッケル−亜鉛）、ＮｉＭＨ（ニッケル水素）、リチウムイオン（Ｌｉ−ｉｏｎ）など）、太陽電池、燃料電池などを含むことができる。
【００３５】
プロセッサ１１８を、ＧＰＳチップセット１３６に結合することもでき、ＧＰＳチップセット１３６は、ＷＴＲＵ１０２の現在地に関する位置情報（例えば、経度および緯度）を提供するように構成され得る。ＧＰＳチップセット１３６からの情報に加えてまたはその代わりに、ＷＴＲＵ１０２は、基地局（例えば、基地局１１４ａ、１１４ｂ）からエアインターフェース１１６を介して位置情報を受信し、かつ／または複数の近傍の基地局から受信される信号のタイミングに基づいてその位置を判定することができる。ＷＴＲＵ１０２が、実施形態と一致しつつ、任意の適切な位置判定方法によって位置情報を獲得できることを了解されたい。
【００３６】
プロセッサ１１８を、他の周辺機器１３８にさらに結合することができ、他の周辺機器１３８は、追加の特徴、機能性および／または有線もしくは無線の接続性を提供する１つまたは複数のソフトウェアモジュールおよび／またはハードウェアモジュールを含むことができる。例えば、周辺機器１３８は、加速度計、ｅコンパス、衛星トランシーバ、ディジタルカメラ（写真またはビデオ用）、ＵＳＢポート、振動デバイス、テレビジョントランシーバ、ハンズフリーヘッドセット、Ｂｌｕｅｔｏｏｔｈ（登録商標）モジュール、ＦＭ（周波数変調）ラジオユニット、ディジタル音楽プレイヤ、メディアプレイヤ、ビデオゲームプレイヤモジュール、インターネットブラウザなどを含むことができる。
【００３７】
図２は、一実施形態によるＲＡＮ１０４およびコアネットワーク１０６のシステム図である。上述したように、ＲＡＮ１０４は、エアインターフェース１１６を介してＷＴＲＵ１０２ａ、１０２ｂおよび／または１０２ｃと通信するのにＵＴＲＡ無線技術を使用することができる。ＲＡＮ１０４は、コアネットワーク１０６と通信することもできる。図２に示されているように、ＲＡＮ１０４は、Ｎｏｄｅ−Ｂ１４０ａ、１４０ｂ、１４０ｃを含むことができ、Ｎｏｄｅ−Ｂ１４０ａ、１４０ｂ、１４０ｃは、それぞれ、エアインターフェース１１６を介してＷＴＲＵ１０２ａ、１０２ｂおよび／または１０２ｃと通信する１つまたは複数のトランシーバを含むことができる。Ｎｏｄｅ−Ｂ１４０ａ、１４０ｂ、１４０ｃを、それぞれ、ＲＡＮ１０４内の特定のセル（図示せず）に関連付けることができる。ＲＡＮ１０４は、ＲＮＣ１４２ａ、１４２ｂを含むこともできる。ＲＡＮ１０４が、実施形態と一致しつつ、任意の個数のＮｏｄｅ−ＢおよびＲＮＣを含むことができることを了解されたい。
【００３８】
図２に示されているように、Ｎｏｄｅ−Ｂ１４０ａ、１４０ｂは、ＲＮＣ１４２ａと通信することができる。さらに、Ｎｏｄｅ−Ｂ１４０ｃは、ＲＮＣ１４２ｂと通信することができる。Ｎｏｄｅ−Ｂ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介してお互いと通信することができる。ＲＮＣ１４２ａ、１４２ｂのそれぞれを、それが接続されるそれぞれのＮｏｄｅ−Ｂ１４０ａ、１４０ｂ、１４０ｃを制御するように構成することができる。さらに、ＲＮＣ１４２ａ、１４２ｂのそれぞれを、アウターループ電力制御、負荷制御、アドミッション制御、パケットスケジューリング、ハンドオーバ制御、マクロダイバーシティ、セキュリティ機能、データ暗号化などの他の機能性を実行しまたはサポートするように構成することができる。
【００３９】
図２に示されたコアネットワーク１０６は、ＭＧＷ（メディアゲートウェイ）１４４、ＭＳＣ（mobile switching center）１４６、ＳＧＳＮ（serving GPRS support node）１４８および／またはＧＧＳＮ（gateway GPRS support node）１５０を含むことができる。前述の要素のそれぞれが、コアネットワーク１０６の一部として図示されているが、これらの要素の任意の１つが、コアネットワークオペレータ以外のエンティティによって所有され、かつ／または運営される場合があることを了解されたい。
【００４０】
ＲＡＮ１０４内のＲＮＣ１４２ａを、ＩｕＣＳインターフェースを介してコアネットワーク１０６内のＭＳＣ１４６に接続することができる。ＭＳＣ１４６をＭＧＷ１４４に接続することができる。ＭＳＣ１４６およびＭＧＷ１４４は、ＷＴＲＵ１０２ａ、１０２ｂ、１０２ｃと伝統的な固定通信デバイスとの間の通信を容易にするために、ＰＳＴＮ１０８などの回線交換ネットワークへのアクセスをＷＴＲＵ１０２ａ、１０２ｂ、１０２ｃに与えることができる。
【００４１】
ＲＡＮ１０４内のＲＮＣ１４２ａを、ＩｕＰＳインターフェースを介してコアネットワーク１０６内のＳＧＳＮ１４８に接続することもできる。ＳＧＳＮ１４８をＧＧＳＮ１５０に接続することができる。ＳＧＳＮ１４８およびＧＧＳＮ１５０は、ＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃに与えることができる。
【００４２】
上述したように、コアネットワーク１０６をネットワーク１１２に接続することもでき、ネットワーク１１２は、他のサービスプロバイダによって所有され、かつ／または運営される他の有線ネットワークまたは無線ネットワークを含むことができる。
【００４３】
本明細書で言及される場合、用語「ＷＴＲＵ（無線送受信ユニット）」は、ＵＥ（ユーザ機器）、移動局、固定のもしくは可動の加入者ユニット、ページャ、セルラ電話機、ＰＤＡ、コンピュータまたは無線環境内で動作できる任意の他の種類のデバイスを含むが、これに限定されない。また、用語「基地局」は、Ｎｏｄｅ−Ｂ、サイトコントローラ、ＡＰ（アクセスポイント）または無線環境内で動作できる任意の他の種類のインターフェース装置を含むが、これに限定されない。本明細書で言及される場合、用語「ネットワーク」は、ＲＮＣ（無線ネットワーク制御装置）、ＣＲＮＣ、またはドリフトＲＮＣを適宜含む。さらに、用語「ＲＮＣ」は、ＣＲＮＣまたはドリフトＲＮＣを含むこともできる。
【００４４】
例が、本明細書でＵＭＴＳ／ＵＴＲＡＮ（UMTS Terrestrial Radio Access Network）システムに関して提供される。しかし、本明細書で説明される概念は、Ｅ−ＵＴＲＡＮ（Evolved UMTS Terrestrial Radio Access Network）、ＬＴＥ、ＬＴＥ−Ａｄｖａｎｃｅｄ、ＩＥＥＥ  ＷＬＡＮ（無線ローカルエリアネットワーク）、ＩＥＥＥ  ＷｉＭａｘ、ＷｉＢｒｏ（Wireless Broadband）、ＧＳＭ、ＧＥＲＡＮ（GSM EDGE Radio Access Network）、ＣＤＭＡ２０００、または任意の他の無線通信技術などの技術に基づくシステムに同等に適用可能である。ＵＭＴＳ／ＵＴＲＡＮ概念の特定の例が提供されるが、任意の無線技術における類似する概念を、必要な変更を加えて使用できることを了解されたい。特定のＵＴＲＡＮチャネル（ＢＣＣＨ（ブロードキャスト制御チャネル）など）が説明される場合には、類似するチャネルを、異なる技術で使用することができる。特定のタイプのメッセージ（例えば、特定のＳＩ（システム情報）メッセージまたはＭＩＢ（マスタ情報ブロック）メッセージなど）が説明される場合には、類似するメッセージを使用することができる。例えば、Ｎｏｄｅ−Ｂが説明される場合に、異なるタイプの基地局（例えば、ｅＮｏｄｅＢ、ＢＴＳ、ＲＢＳ（radio base station）、アクセスポイント、または任意の他の種類の基地局）を使用することができる。追加の例として、ＵＴＲＡＮのＰＳＣ（Primary Scrambling Code）が説明される場合に、Ｅ−ＵＴＲＡＮではＰＣＩ（Physical Cell Identifier）を使用することができる。
【００４５】
１つまたは複数の例が、本明細書でアイドルモードのＷＴＲＵに関して提供されるが、後述される原理は、例えばＵＲＡ＿ＰＣＨ状態、ＣＥＬＬ＿ＰＣＨ状態、およびＣＥＬＬ＿ＦＡＣＨ状態などであるがこれらに限定されない他のモードに同等に適用可能である。
【００４６】
実施形態は、本明細書で言及される場合、基地局の送信機をオフに切り替えることができ、基地局がどのチャネルでも送信していないものとすることができる時に、基地局が「休眠モード」にあると言うことができることを企図するものである。また、本明細書で言及される場合、基地局がそのエネルギ要件を通常動作から減らしているものとすることができるが、その送信機を完全にオフに切り替えてはいないものとすることができる時に、基地局は、「省エネルギモード」または「省エネルギ状態」にあると言われる。「省エネルギ状態」および「省エネルギモード」を、交換可能に使用することができる。基地局は、省エネルギモードに「入る」またはこれを「アクティブ化する」と言われる場合がある。省エネルギモードで動作する能力を有する基地局は、省エネルギモードを「サポートする」と言われる場合がある。また、本明細書で言及される場合、省エネルギ状態または省エネルギモードを「非アクティブ化する」基地局を、省エネルギ状態から通常動作状態に移ると考えることができる。
【００４７】
実施形態は、「レガシ」ＷＴＲＵを、例えば基地局省エネルギモードに固有の特徴をサポートできないＷＴＲＵであるものとすることができることをも企図する。レガシＷＴＲＵは、基地局が省エネルギモードである可能性がある間におよび／または基地局が通常動作に従って動作している可能性がある間に、その基地局と通信することができる。しかし、レガシＷＴＲＵは、省エネルギモード固有の特徴をサポートすることができない。
【００４８】
実施形態は、ＵＴＲＡＮで、例えば次のＳＩＢ（システム情報ブロック）メッセージが少なくとも次の情報を含むことができることを企図する。  
ＳＩＢ１：タイマおよび定数に関連する情報を含むことができ、ドメイン固有ＤＲＸ（discontinuous reception）サイクル長係数を含む。  
ＳＩＢ３：セル再選択、セル選択ルール、セルアイデンティティ、およびアクセス制限に関連する情報を含むことができる。  
ＳＩＢ４：セルアイデンティティおよびアクセス制限に関連する情報を含むことができ、いくつかの状況では、ＷＴＲＵは、ＳＩＢ４メッセージがＮｏｄｅ−Ｂによってブロードキャストされる場合に、接続モード（例えば、アイドルモードではない）である間にＳＩＢ４メッセージを受信することができる。  
ＳＩＢ５およびＳＩＢ５ｂｉｓ：アクセスルール、ＤＲＸサイクル、およびページング情報に関連する情報を含む。  
ＳＩＢ６：物理ランダムアクセスチャネル（Physical Random Access Channel：ＰＲＡＣＨ）およびセカンダリ共通制御物理チャネル（Secondary Common Control Physical Channel：Ｓ−ＣＣＰＣＨ）に関連する情報を含むことができ、いくつかの状況では、ＷＴＲＵは、ＳＩＢ６メッセージがＮｏｄｅ−Ｂによってブロードキャストされる場合に、接続モード（例えば、アイドルモードではない）である間にＳＩＢ６メッセージを受信することができる。
【００４９】
実施形態は、ＲＮＣ（無線ネットワーク制御装置）が、セル構成メッセージをＮｏｄｅＢに送信できることを企図するものである。セル構成（cell configuration）メッセージは、１つまたは複数のＩＥ（情報要素）を含むことができ、このＩＥは、ＮｏｄｅＢが１つまたは複数の省エネルギモードに入ることができ、いくつかの実施形態では入らなければならないことを示す。セル構成メッセージは、さらに、関連するシステム情報パラメータを含むことができる。関連するシステム情報パラメータを、ＮｏｄｅＢが省エネルギモードに入ることができ、若しくは入らなければならないことを示すものと同一のＩＥに含めることができ、または１つもしくは複数の異なるＩＥに含めることができる。あるいは、セル構成メッセージは、ＮｏｄｅＢが省エネルギモードに入ることができ若しくは入らなければならないことを示すフラグを含むことができる。ＲＮＣからセル構成メッセージを受信した時に、ＮｏｄｅＢは、受信されたパラメータのうちの１つまたは複数に従って省エネルギモードをアクティブ化することができる。例えば、制御するＲＮＣは、特定の省エネルギモードを達成するために実施できる新しいＭＩＢ／ＳＩＢ送信要件についてＮｏｄｅＢに知らせるのにSYSTEM INFORMATION UPDATE REQUEST（システム情報更新要求）メッセージを使用することができる。
【００５０】
あるいはまたはそれに加えて、ＮｏｄｅＢは、省エネルギモードの構成の定義を格納することができる。この定義は、例えば、どのＳＩＢメッセージをＮｏｄｅＢが送信できまたは送信してはならないのか、かつ／またはどのＳＩＢメッセージが他のシステム情報パラメータに関連することができるのかを記述することができる。ＲＮＣは、指示する情報要素を含むメッセージをＮｏｄｅＢに送信することができる。情報要素の受信時に、ＮｏｄｅＢは、省エネルギモードの格納された構成に従って省エネルギモードをアクティブ化することができる。さらに、ＮｏｄｅＢは、構成の複数の定義を格納することができ、指示する情報要素は、どの定義をＮｏｄｅＢが使用しなければならないのかを示すことができる。
【００５１】
さらに、ＲＮＣは、ＮｏｄｅＢの省エネルギモードに対処し、全体的なネットワークの正しい動作を保証するために、ＮｏｄｅＢに関連するネットワークノード（例えば、隣接するセルまたはドリフトＲＮＣ（ＤＲＮＣ））を構成することができる。これは、ＲＮＣがＮｏｄｅＢに関連するネットワークノードと通信することを含むことができる。ＮｏｄｅＢに関連することができるネットワークノードは、例えば、ＮｏｄｅＢに地理的に近接するノード（他のＮｏｄｅＢなど）のうちの１つまたは複数を含む。ＲＮＣは、関連するノードのリストを格納することができる。ＲＮＣは、関連するネットワークノードを適当に構成するために、それらのノードにメッセージを送信することができる。これらのメッセージは、拡張された隣接リスト（省エネルギネットワーク動作に適合された変更された隣接リスト）、ＮｏｄｅＢが省エネルギモードである可能性があることのインジケータを含む隣接リスト、ＮｏｄｅＢが省エネルギモードである可能性があることのインジケータを含む測定制御メッセージ（例えば、デフォルトのランダムアクセスチャネル（Random Access Channel：ＲＡＣＨ）構成またはＥ−ＲＡＣＨ（enhanced-RACH）構成を、１つまたは複数の省エネルギモードでＷＴＲＵアップリンク測定メッセージに利用することができる）、アクセスモードパラメータ、ＮｏｄｅＢが省エネルギ状態である可能性があることを反映する再選択ルール、並びにＭＩＢおよびＳＩＢの縮小されたセットを含むがこれに限定されない１つまたは複数のパラメータを含むことができる。
【００５２】
関連するネットワークノードは、例えば、省エネルギモードになるセルの近傍内のノードのうちの１つまたは複数とすることができる。関連するネットワークノードのリストを、ネットワークによって判定することができる。
【００５３】
制御側ＲＮＣは、隣接するノードを再構成するのに、新しいセル構成メッセージまたは既存のセル構成メッセージのうちの１つもしくは組合せを使用することができる。セル構成メッセージは、SYSTEM INFORMATION UPDATE REQUEST、PHYSICAL SHARED CHANNEL RECONFIGURATION REQUEST（物理共有チャネル再構成要求）、またはCOMMON TRANSPORT CHANNEL RECONFIGURATION REQUEST（共通トランスポートチャネル再構成要求）を含むことができる。このメッセージは、省エネルギモードに関連するセルパラメータを伝えるのに、既存の変更されたＩＥおよび／または新たに定義されたＩＥを使用することができる。
【００５４】
ＮｏｄｅＢは、１つまたは複数のメッセージを送信することによって、省エネルギモードに入ったことを示すことができる。ＮｏｄｅＢは、例えば１つまたは複数のフラグを使用することによってそれを行うことができる。このフラグを、例えば、１つまたは複数のＭＩＢメッセージに含めることができる。あるいはまたはそれに加えて、ＷＴＲＵは、存在するかＮｏｄｅＢが使用しつつある可能性があるＳＩＢメッセージを検出することと、検出されたＳＩＢメッセージを、省エネルギモードで使用されるメッセージを含むことができるリストと比較することとによって、ＮｏｄｅＢが省エネルギモードであるかどうかを検出することができる（例えば、これをブラインド検出と呼ぶ場合がある）。
【００５５】
あるいはまたはそれに加えて、ＮｏｄｅＢは、制御側ＲＮＣもしくはＯＡＭ（運用保守）システムによって供給されるスケジュールに基づいてまたは低アクティビティ検出アルゴリズムに基づいて、自律的に省エネルギモードに入ることができる。低アクティビティまたは無アクティビティ状態の検出時に、ＮｏｄｅＢは、それが省エネルギモードに入ろうとしていることを制御するＲＮＣに知らせるために、RESOURCE STATUS INDICATION（リソース状況通知）メッセージを使用することができる。ＮｏｄｅＢは、例えば、適当な原因ＩＥまたは「省エネルギモードに入る」などの新たに定義される原因と共にResource Operational State（リソース運用ステート）ＩＥおよびAvailability Status（利用状況ステータス）ＩＥを使用することができる。
【００５６】
実施形態は、「省エネルギモードに入る」原因（cause）にTRUEをセットされたRESOURCE STATUS INDICATIONの受信時に、サービングＲＮＣが、既存のセル構成メッセージを使用して、適当な省エネルギ関連パラメータを用いてソースＮｏｄｅＢを再構成できることを企図する。制御側ＲＮＣは、例えばフルサービスカバレージまたは適当なモビリティパラメータを可能にするために、隣接するノードを再構成することができる。
【００５７】
あるいはまたはそれに加えて、ＮｏｄｅＢは、省エネルギモードデフォルト構成を適用し、省エネルギモードに入ることについて制御側ＲＮＣに知らせるために「省エネルギモードに入る」原因にTRUEをセットされたRESOURCE STATUS INDICATIONを使用し、したがって、Ｉｕｂインターフェースシグナリング負荷を減らすことができる。Ｉｕｂは、例えばＲＮＣとＮｏｄｅＢとの間のインターフェースとすることができる。
【００５８】
ＮｏｄｅＢは、それがサービスしているＷＴＲＵのうちの１つまたは複数に１つまたは複数のメッセージを送信することによって、省エネルギモードに入ったことをシグナリングすることができる。１つまたは複数のメッセージは、例えば、Paging Message（ページングメッセージ）を含むことができる。Paging Messageは、Paging Type 1 メッセージとすることができ、ＭＣＣＨ（マルチキャスト制御チャネル）変更情報を伝えることができる。実施形態は、ＭＢＭＳ（Multimedia Broadcast Multicast Service）ポイントツーマルチポイント制御チャネルなどのＭＣＣＨについて、チャネル／サービス構成を、省エネルギモードである間にＮｏｄｅＢ内で変更できることを企図する。ＷＴＲＵは、メッセージを介して、例えばそのような変更が行われたまたは実施される可能性があることを、知らされる必要がある可能性がある。１つまたは複数のメッセージは、理由を説明する１つまたは複数のフィールドを含むことができるPaging Type 2 メッセージを含むこともできる。理由を、例えば「MIB Change（ＭＩＢ変更）」として記述することができる。１つまたは複数のメッセージは、SYSTEM INFORMATION CHANGE INDICATION（システム情報変更指示）メッセージを含むことができる。SYSTEM INFORMATION CHANGE INDICATIONメッセージは、ＭＣＣＨ変更情報を含むことができる。あるいはまたはそれに加えて、１つまたは複数のメッセージは、１つまたは複数の専用メッセージを含むことができる。ＮｏｄｅＢが省エネルギモードに入ったことを示す１つまたは複数のメッセージの受信時に、ＷＴＲＵは、省エネルギモードに従って動作するためにそれ自体を再構成することができる。さらに、省エネルギモードに入るセルとのインターオペラビリティをサポートするために再構成される１つまたは複数の隣接するノードは、ネットワークパラメータが変更されたまたは変更された可能性があることを、隣接するノードのカバレージ下のＷＴＲＵに知らせるために、本明細書で説明される実施形態を使用することができる。あるいは、レガシＷＴＲＵは、省エネルギモードで動作していない別の基地局に再選択することができる。
【００５９】
実施形態は、基地局が省エネルギモードに変わる間にレガシＷＴＲＵが接続モードになる場合を企図するものであり、基地局は、接続解放指示（connection release indication）の受信時に、このレガシＷＴＲＵを異なる基地局に明示的に移動することができる。
【００６０】
あるいはまたはそれに加えて、基地局は、接続解放指示の受信時にレガシＷＴＲＵにＭＩＢを送信することができる。このＭＩＢは、上述したように基地局の省エネルギモードの指示を含むことができる。省エネルギセルをサポートできないレガシＷＴＲＵは、基地局によって示されるそのような省エネルギモードのセルにキャンプすることができない可能性があり、したがって、（おそらくはそのＷＴＲＵの通常動作に従ういくつかの実施形態で）異なる基地局を検索することができる。あるいは、レガシＷＴＲＵは、基地局の省エネルギモードを示すＭＩＢ内の情報をどのように解釈すべきかを知らない可能性があり、これを無視しまたはこれを無効と宣言する場合がある。
【００６１】
実施形態は、ＮｏｄｅＢが、省エネルギモードのアクティブ化時に、それがそのセルに使用しつつある可能性があるＣＰＩＣＨ（共通パイロットチャネル）スクランブリングコードを変更でき、これによってセルアイデンティティ（セルＩＤ）を効果的に変更できることを企図する。ＷＴＲＵが、基地局が省エネルギモードに入ろうとしていることを判定できる可能性がある形で、スクランブリングコードを変更することができる。レガシＷＴＲＵは、基地局が省エネルギモードに入ろうとしていることを理解することができない。実施形態は、レガシＷＴＲＵが、省エネルギモードで構成されていない可能性がある新しいセルを再選択できることを企図する。
【００６２】
基地局は、省エネルギモードに入るためにマルチフェーズ手法を使用することもできる。例えば、第１フェーズでは、省エネルギモードをアクティブ化する前に、基地局は、そのセルオフセット値（例えば、Qoffset1およびQoffset2）を、レガシＷＴＲＵが自然に異なるセルを再選択できるような値に変更することができる。いくつかの実施形態では、基地局は、その後、しばらく一時停止することができる。第２フェーズでは、基地局は、ページングまたは上述した他の方法のいずれかを使用することによって、それが省エネルギモードに入ろうとしていることを１つまたは複数のＷＴＲＵに知らせることができる。やはり、いくつかの実施形態では、基地局は、その後、しばらく一時停止することができる。第３フェーズおよびおそらく最終フェーズでは、基地局は、省エネルギモードをアクティブ化することができる。省エネルギモードに入った後に、ＮｏｄｅＢは、省エネルギモードで動作できるＷＴＲＵによる初期アクセスを可能にする、ＳＩＢの縮小されたセットをブロードキャストすることができる。また、ＳＩＢの縮小されたセットは、レガシＷＴＲＵによる初期アクセスを可能にすることができ、このレガシＷＴＲＵは、省エネルギモードで動作するように特に設計されていない可能性があるが、おそらくは省エネルギモードのＮｏｄｅＢにアクセスできる可能性があるＷＴＲＵとすることができる。
【００６３】
実施形態は、基地局が、１つまたは複数の判断基準に基づいて省エネルギモードから出ることができることを企図する。例えば、基地局は、セル内の監視されたアクティビティに基づいて省エネルギモードから出ることができる。一例として、基地局は、ＷＴＲＵから発する、および／またはＷＴＲＵで終端する呼の個数を測定し、これを閾値と比較することができ、測定値が閾値より大きい場合には、そのセルに関して省エネルギモードから出ることができる。
【００６４】
基地局は、省エネルギモードから出る時に、それが省エネルギモードから出ようとしていることをＷＴＲＵに通知することができる。基地局は、省エネルギモードへ入ることの通知に関して本明細書で説明されるメッセージのいずれかに対応するメッセージを使用することによって、それを行うことができる。例えば、基地局は、基地局が省エネルギモードから出ようとしていることを示すために、ＭＩＢ内の省エネルギフラグをセットすることができる。
【００６５】
基地局は、省エネルギモードから出る時に、基地局が省エネルギモードから出たことおよび／または基地局が通常動作に従ってＳＩＢを送信し始めることを示す１つまたは複数のフィールドを有するページングメッセージを送信することができる。その後、基地局は、例えば通常動作に従ってＳＩＢをブロードキャストし始めることができる。したがって、ページングメッセージは、ＭＩＢおよび１つまたは複数のＳＩＢを監視するようにＷＴＲＵを動機付ける。あるいはまたはそれに加えて、実施形態は、ＭＩＢ／ＳＩＢが、基地局が省エネルギモードから出ることに起因して変化しようとしている場合に、基地局構成が変化しようとしている可能性があり、ページングメッセージが、ＷＴＲＵが制御／基地局との通信に関する互換の形で構成され続けることができるようにするためにＷＴＲＵに新しい情報を読み取らせることができることを企図する。これは、例えば、周期的ロケーションエリア更新パラメータ、周期的ルーティングエリア更新パラメータ、アクセスモードパラメータ、および／または他のパラメータなどであるがこれらに限定されない通常のアクティビティパラメータのリフレッシュを可能にすることができる。あるいは、基地局は、通常動作のためにセルＳＩＢを再構成し、そのセル上のＷＴＲＵにシームレスに動作させることができる。
【００６６】
実施形態は、セルが、アクティビティ（例えば、着呼またはロケーション更新の受信もしくはハンドオーバなどのＷＴＲＵ再選択）の検出に基づいてまたは制御側ＲＮＣ（無線ネットワーク制御装置）もしくはＯＡＭ（運用保守）システムによって供給されるスケジュールに基づいて自律的に省エネルギモードから出ることができることを企図する。セルは、通常のアクティブ状態に移りながら、省エネルギモードから出ることについて制御側ＲＮＣに知らせるために、RESOURCE STATUS INDICATIONメッセージを使用して、制御側ＲＮＣに指示を送信することができる。セルは、例えば、適当な原因ＩＥまたは「省エネルギモードから出る」などの新たに定義される原因と共にResource Operational State ＩＥおよびAvailability Status ＩＥを使用することができる。あるいは、ＮｏｄｅＢは、省エネルギモードから出ることについて制御側ＲＮＣに知らせるために、Ｉｕｂインターフェースを介する新しいメッセージを使用することができる。
【００６７】
既存の省エネルギモード表示の受信時に、ＲＮＣは、既存のＮＢＡＰ（Node B Application Part）セル構成メッセージを使用すること、フルセル構成をダウンロードすること、または通常のアクティブ状態構成に戻るために新しい専用メッセージを使用することによって、通常のアクティブ状態固有パラメータに再構成することができる。あるいは、ＮｏｄｅＢは、省エネルギモードに入る前に通常のアクティブ状態構成を格納することができ、省エネルギモードから去る時にこれを復元することができる。
【００６８】
実施形態は、既存の省エネルギモード指示の受信時に、制御側ＲＮＣが、通常のセルインターオペラビリティを可能にするために隣接するノードのうちの１つまたは複数を通常のアクティブ状態動作に再構成できることを企図する。ＲＮＣは、１つまたは複数の隣接するノードでの通常のアクティブ状態パラメータを復元するために、既存のＮＢＡＰセル構成メッセージを使用することができる。ＲＮＣは、通常のアクティブ状態が呼び出されることと、通常の構成を送信できることまたは１つもしくは複数の隣接するノードがそれ自体のメモリから通常のアクティブ状態構成を復元できることを１つまたは複数の隣接するノードに示すために新しいフラグを使用することもできる。
【００６９】
あるいは、実施形態は、制御側ＲＮＣが、例えばモビリティ閾値、トラフィック、特定のスケジュール、またはＯＡＭオーダーに基づいて、セルを省エネルギモードから通常のアクティブ状態に動的に移すと判断できることを企図する。制御側ＲＮＣは、エネルギ状態が変化しようとしていることを示すのにフラグを使用することができる。制御側ＲＮＣは、新しい専用のＮＢＡＰメッセージを使用し、これに上述したセル再構成手順を続けることもできる。
【００７０】
ＷＴＲＵは、それが少なくとも１つの省エネルギモードに従うＮｏｄｅＢによる動作をサポートできることをＮｏｄｅＢにシグナリングすることができる。ＷＴＲＵは、１つまたは複数のメッセージ内の１つまたは複数のフィールドまたはビットフラグを使用してその能力を示すことができる。ＷＴＲＵは、どのタイプの省エネルギモードをサポートできるのかを示すことができる。ＮｏｄｅＢは、省エネルギモードにいつおよび／もしくはどの場合に入るべきなのか、並びに／またはどの省エネルギモードに入るべきなのかを判定するために、この能力情報を使用することができる。このＷＴＲＵ能力情報をＲＮＣに供給することもでき、ＲＮＣは、いつ省エネルギモードに入るべきなのかに関して１つまたは複数のＮｏｄｅＢにコマンドを供給するのにこの情報を使用することができる。
【００７１】
実施形態は、ＮｏｄｅＢが、省エネルギモードに入ることの判定を自律的に行えることを企図する。ＮｏｄｅＢは、それを行ったことを示すためにネットワーク（例えば、ＲＮＣ）に１つまたは複数のメッセージを送信することができる。その後、ネットワーク（ＲＮＣ）は、本明細書で説明するネットワークの正しい動作を保証するために、１つまたは複数の隣接するＮｏｄｅＢを構成することができる。あるいは、実施形態は、基地局が省エネルギモードに入るコマンドをそのネットワーク（ＲＮＣ）から受信する時に、いくつかの実施形態ではおそらくその時に限って、基地局が省エネルギモードに入るように構成され得ることを企図する。
【００７２】
実施形態は、１つまたは複数の省エネルギモードを企図する。例えば、実施形態は、ＮｏｄｅＢが、セルアクセス情報を含むことができるＭＩＢメッセージおよびＳＩＢメッセージを送信でき、いくつかの実施形態で、セルアクセス情報を含むＭＩＢメッセージおよびＳＩＢメッセージだけを送信できることを企図する。
【００７３】
例示的な第１の省エネルギモードによれば、ＮｏｄｅＢは、ＭＩＢメッセージおよびセルアクセス情報ＳＩＢメッセージを送信することができ、いくつかの実施形態では、ＭＩＢメッセージおよびセルアクセス情報ＳＩＢメッセージだけを送信することができる。ＭＩＢは、セルアクセス情報要素のスケジュールだけを含むことができる。セルアクセス情報要素は、例えばＳＩＢ５メッセージおよび／またはＳＩＢ５ｂｉｓメッセージ内で見つけることができる。ＷＴＲＵは、省エネルギモードがそのセルについてアクティブ化されることの指示として、縮小されたＭＩＢ／ＳＩＢ組合せセットを解釈することができる。あるいは、ＭＩＢは、ＮｏｄｅＢが省エネルギモードであることを示す１つまたは複数のフィールドを含むことができる。ラベル「第１の省エネルギモード」（および、下で開示される「第２の省エネルギモード」など）の使用は、例示のために行われ、開示される省エネルギモードの間の要求される順序、先行条件、依存性、および／または重要性もしくは有用性の相対レベルを暗示しない。
【００７４】
ＮｏｄｅＢが、ＭＩＢメッセージおよびセルアクセス情報ＳＩＢメッセージだけを送信する時に、これを、他のＷＴＲＵがそのＮｏｄｅＢへのアクセスを確立するのに十分な情報とすることができる。しかし、通常はＳＩＢメッセージ（ブロードキャストされない）内に含まれる可能性がある他の情報が、ＷＴＲＵに必要である場合がある。この他の情報を入手するために、ＷＴＲＵは、Location Update（ロケーション更新）メッセージをＮｏｄｅＢに送信することができる。ＷＴＲＵは、ＳＩＢ５メッセージおよび／またはＳＩＢ５ｂｉｓメッセージ内で受信したパラメータを使用してLocation Updateメッセージを送信することができる。ＷＴＲＵが、Location Updateメッセージの送信の前にアイドルモードである場合には、ＷＴＲＵは、まずRRC Connection Request（ＲＲＣ接続要求）メッセージを基地局に送信することができる。RRC Connection Requestメッセージは、確立理由をネットワークに示すことができる。例えば、確立理由は、ＷＴＲＵが省エネルギ状態のセルに再選択する必要があることを示すことができる。また、例えば、確立理由は、とりわけ、「Cell Reselection Request（セル再選択要求）」または「System Information Request（システム情報要求）」を示すことができる。
【００７５】
実施形態は、Location Update要求メッセージに応答して、ＮｏｄｅＢが、Location Update Acknowledge（ロケーション更新肯定応答）メッセージをＷＴＲＵに送信することができることを企図する。Location Update Acknowledgeメッセージは、通常は例えば通常動作に従うＳＩＢメッセージ内に含まれるはずの残りの情報を含むことができる。あるいは、Location Update Acknowledgeメッセージは、ＷＴＲＵがデフォルトシステム情報構成を使用しなければならないことを示すことができる。デフォルトシステム情報構成を、事前に構成することができ、または１つもしくは複数の他のセルを介してネットワークによってＷＴＲＵに送信することができる。
【００７６】
ＷＴＲＵがアイドルモードでＤＲＸ（discontinuous reception）を使用する場合には、ＷＴＲＵは、例えばＳＩＢ１内でブロードキャストされる「CN domain-specific DRX cycle length coefficient（ＣＮドメイン固有ＤＲＸサイクル長係数）」パラメータを必要とする可能性がある。このパラメータを、ＤＲＸサイクル長を計算するのに使用することができる。その場合には、基地局は、さらに、ＳＩＢ５および／またはＳＩＢ５ｂｉｓに加えてＳＩＢ１をブロードキャストすることができる。ＮｏｄｅＢによって送信されるＳＩＢ１メッセージは、通常のＳＩＢ１フィールドの一部もしくは全てを含むことができ、または「CN domain-specific DRX cycle length coefficient」フィールドだけを含むことができる。あるいは、異なるＳＩＢメッセージを、「CN domain-specific DRX cycle length coefficient」フィールドを含むために使用することができる。この異なるＳＩＢメッセージは、例えば、「ＳＩＢ２０」とすることができ、または異なるメッセージとすることができる。
【００７７】
さらに、ＳＩＢメッセージを、ＲＡＣＨ（ランダムアクセスチャネル）およびＦＡＣＨ（フォワードアクセスチャネル）を構成するのに必要な情報だけをブロードキャストし、ＷＴＲＵがRRC Connection Requestメッセージを送信することを可能にするのに使用することができる。このＳＩＢメッセージは、例えば、「ＳＩＢ５」および／もしくは「ＳＩＢ６」または異なるメッセージとすることができる。このメッセージは、例えば、「Physical Random Access Channel(PRACH)system information list」フィールドおよび／または「Secondary Common Control Physical Channel(S-CCPCH)system information」フィールドを含むことができる。
【００７８】
例示的な第２の省エネルギモードによれば、ＮｏｄｅＢは、ＭＩＢを送信することができ、いくつかの実施形態ではＭＩＢを送信することだけができる。これは、例えば、ターゲットセルがＭＩＢだけをブロードキャストでき、セル再選択のために要求されるアクセス情報を、ソースセル内のＷＴＲＵにブロードキャストできる場合に使用することができる。
【００７９】
ＮｏｄｅＢは、省エネルギモードである時に、ＭＩＢだけを送信することができ、セルシステム情報についてデフォルト構成を使用することができる。別のＮｏｄｅＢ（省エネルギモードではない場合がある）によって供給される情報と共に、ＷＴＲＵは、省エネルギモードであるＮｏｄｅＢを再選択し、アクセスすることができる。セル再選択のために要求されるアクセス情報を、ソースセル内のＷＴＲＵに供給することができる。これは、次の手法のうちの１つまたは任意の組合せに従って、並びに本明細書にリストされない他の手法を介して行うことができる。
【００８０】
実施形態は、デフォルトセルシステム情報を使用できることを企図する。ターゲット基地局は、省エネルギモードである時に、専用セル情報に加えて特殊な構成を使用することができる。デフォルト構成を、ＮｏｄｅＢの能力に依存するものとすることができ、かつ／または例えば標準規格に従って定義することができる。
【００８１】
実施形態は、情報を、１つまたは複数の省エネルギの隣接するセルに従って事前に構成できることを企図する。この情報は、セルアクセスに関する最小限の要求される情報を含むことができ、またはシステム情報全体を含むことができる。
【００８２】
実施形態は、ＷＴＲＵが、隣接するセルの省エネルギモードパラメータを含む隣接セルリストを受信できることを企図する。隣接セルリストは、１つもしくは複数の隣接するＮｏｄｅＢの省エネルギ状態に関連する情報（適用可能な場合に）を含むことができ、かつ／または１つもしくは複数の隣接するＮｏｄｅＢのＳＩＢ情報（適用可能な場合に）を含むことができる。
【００８３】
実施形態は、ＷＴＲＵが、１つまたは複数の専用メッセージ内で、省エネルギモードパラメータに関する情報および／または隣接するＮｏｄｅＢに関連するＳＩＢ情報を受信できることを企図する。ＷＴＲＵは、この情報のクエリをＮｏｄｅＢおよび／またはＲＮＣに送信することができ、この情報は、応答メッセージ内で受信され得る。
【００８４】
ターゲットＮｏｄｅＢによってブロードキャストされない可能性があり、ソースセル内で獲得できず、かつ／またはデフォルトシステム情報構成に含まれないシステム情報を入手するために、ＷＴＲＵは、デフォルトアクセスパラメータおよび／またはソースセル内で受信されたパラメータを使用することによって、ＮｏｄｅＢおよび／またはＮｏｄｅＢに関連するＲＮＣにLocation Updateメッセージを送信することができる。あるいは、ＷＴＲＵは、RRC Connection Requestメッセージまたは他のＲＲＣメッセージを送信することができる。RRC Connection Requestメッセージは、確立原因をネットワークに示すことができる。例えば、確立原因（establishment cause）は、ＷＴＲＵが省エネルギ状態のセルに再選択する必要があることを示すことができる。
【００８５】
ＮｏｄｅＢおよび／またはＲＮＣは、Location Update AcknowledgeメッセージをＷＴＲＵに送信することによってRRC Connection Requestメッセージまたは他のＲＲＣメッセージに応答することができる。Location Update Acknowledgeメッセージは、例えばアイドルモードまたは接続モードでターゲットＮｏｄｅＢにアクセスするためにＷＴＲＵが必要とする可能性がある情報を含むことができる。システム情報構成全体が以前のセル内でＷＴＲＵから使用可能にされた場合および／または新しい基地局が省エネルギセルではない場合には、このメッセージを、通常動作に従う内容を有するLocation Update Acknowledgeメッセージとすることができる。
【００８６】
あるいは、ＮｏｄｅＢおよび／またはＲＮＣは、ＷＴＲＵに少なくとも１つのページングメッセージを送信することによってRRC Connection Requestメッセージまたは他のＲＲＣメッセージに応答することができる。このページングメッセージを、ＢＣＣＨ（ブロードキャストチャネル）変更情報を搬送するPaging Type 1 メッセージとすることができる。このページングメッセージを、システム情報変更インジケータなどの新しい情報を有するPaging Type 2 メッセージとすることもできる。ＮｏｄｅＢは、ある時間期間にわたってＭＩＢおよび／またはＳＩＢをブロードキャストし、その後、省エネルギモードに戻ることができる。ＳＩＢ３、ＳＩＢ５およびＳＩＢ７は、ブロードキャストされるＭＩＢ内でスケジューリングされないものとすることができる。ＷＴＲＵが、ＮｏｄｅＢが禁止されていると判定しないようにするために、またはそのような判定を防ぐために、ＭＩＢは、ＮｏｄｅＢが省エネルギモードであることを示すフラグを含むことができる。
【００８７】
あるいは、ＮｏｄｅＢおよび／またはＲＮＣは、下記に従ってRRC Connection Requestメッセージまたは他のＲＲＣメッセージに応答することができる。基地局は、省エネルギモードに入る前に、それを行おうとしていることを示すためにそのＲＮＣにメッセージを送信することができる。その後、ＲＮＣは、どの隣接する基地局が省エネルギモードであるのかをＷＴＲＵに示すことができる（１つまたは複数の他の基地局を介して）。基地局は、省エネルギモードから出る時に、それを行おうとしていることを示す別のメッセージをＲＮＣに送信することができる。その後、ＲＮＣは、その基地局の状態に関してそのＲＮＣが格納しているデータを更新することができ、通常動作のために隣接する基地局を再構成することができる。１つまたは複数のメッセージを使用して、１つまたは複数の隣接する基地局が省エネルギモードであるかどうかと、どの隣接する基地局が前に説明した手順を使用していないのかとを示すことができる。このメッセージは、例えば、ｃｅｌｌ＿ＤＣＨ状態のＷＴＲＵを制御するのに使用される１つまたは複数の測定制御メッセージを含むことができる。あるいはまたはそれに加えて、このメッセージは、ＳＩＢ１１メッセージおよび／またはＳＩＢ１２メッセージを含むことができる。
【００８８】
隣接する基地局のどれが省エネルギモードであり、どれがそうではないのかを示す情報の受信時に、ＷＴＲＵは、省エネルギモードであるセルに再選択するために、セル再選択手順を実行することができる。
【００８９】
実施形態は、ＮｏｄｅＢがＣＰＩＣＨ（共通パイロットチャネル）および／または同期チャネル（ＳＣＨ：Synchronization Channels）をブロードキャストでき、いくつかの実施形態でＣＰＩＣＨ（共通パイロットチャネル）および／またはＳＣＨ（同期チャネル）をブロードキャストできるのみである、例示的な第３の省エネルギモードを企図するものである。それを行う際に、ＮｏｄｅＢは、通常動作に従ってＭＩＢおよびＳＩＢを送信することができない。ＮｏｄｅＢ固有の省エネルギモード構成および隣接するノードを、前に説明した手順のうちの１つまたは複数を使用して達成することができる。
【００９０】
実施形態は、セル再選択に必要なアクセス情報または少なくとも最小限のアクセス情報を、ソースセル内のＷＴＲＵに供給できることを企図する。これを、次の手法のうちの１つまたは任意の組合せに従って、並びに本明細書にリストされない他の手法を介して、行うことができる。
【００９１】
実施形態は、デフォルトセルシステム情報を使用できることを企図する。デフォルトセルシステム情報は、ＷＴＲＵがモビリティまたは変調のために判定を行えるように、チャネルのサブセットを含むことができる。例えば、情報のデフォルトセットを、ＲＲＣによって標準化し若しくはシグナリングし、事前に決定し、または他の形でＷＴＲＵおよびＮｏｄｅＢに既知にすることができ、その結果、システムが、通常のＭＩＢおよびＳＩＢなしで動作できるようになる。ターゲット基地局は、省エネルギモードである時に、専用セル情報に加えて、特殊な構成を使用することができる。デフォルト構成は、ＮｏｄｅＢの能力に依存することができ、かつ／または例えば標準規格に従って定義され得る。
【００９２】
実施形態は、情報を省エネルギの隣接するセルに従って事前に構成できることを企図する。この情報は、セルアクセスに関する最小限の要求される情報を含むことができ、またはシステム情報全体を含むことができる。
【００９３】
実施形態は、ＷＴＲＵが、隣接するセルの省エネルギモードパラメータを含む隣接セルリストを受信できることを企図する。隣接セルリストは、１つもしくは複数の隣接するＮｏｄｅＢの省エネルギモードに関連する情報（適用可能な場合に）を含むことができ、かつ／または１つもしくは複数の隣接するＮｏｄｅＢのＳＩＢ情報（適用可能な場合に）を含むことができる。
【００９４】
実施形態は、ＷＴＲＵが、１つまたは複数の専用メッセージ内で省エネルギモードパラメータの情報および／または１つ若しくは複数の隣接するＮｏｄｅＢに関連するＳＩＢ情報を受信できることを企図する。ＷＴＲＵは、この情報のクエリをＮｏｄｅＢおよび／またはＲＮＣに送信することができ、この情報は、応答メッセージ内で受信され得る。
【００９５】
ターゲットＮｏｄｅＢによってブロードキャストされない可能性があり、ソースセル内で獲得できず、かつ／またはデフォルトシステム情報構成に含まれないシステム情報を入手するために、ＷＴＲＵは、デフォルトアクセスパラメータおよび／またはソースセル内で受信されたパラメータを使用することによって、ＮｏｄｅＢおよび／またはＮｏｄｅＢに関連するＲＮＣにLocation Updateメッセージを送信することができる。あるいは、ＷＴＲＵは、RRC Connection Requestメッセージまたは他のＲＲＣメッセージを送信することができる。RRC Connection Requestメッセージは、確立原因をネットワークに示すことができる。RRC Connection Requestメッセージは、ＷＴＲＵが省エネルギモードのセルに再選択することを必要とする可能性があることを示す、確立原因をネットワークに示すことができる。
【００９６】
ＮｏｄｅＢおよび／またはＲＮＣは、Location Update AcknowledgeメッセージをＷＴＲＵに送信することによってRRC Connection Requestメッセージまたは他のＲＲＣメッセージに応答することができる。Location Update Acknowledgeメッセージは、アイドルモードまたは接続モードでターゲットＮｏｄｅＢにアクセスするためにＷＴＲＵが必要とする情報を含むことができる。システム情報構成全体が以前のセル内でＷＴＲＵから使用可能にされた場合および／または新しい基地局が省エネルギセルではない場合には、このメッセージを、通常動作に従う内容を有するLocation Update Acknowledgeメッセージとすることができる。
【００９７】
あるいは、ＮｏｄｅＢおよび／またはＲＮＣは、ＷＴＲＵにページングメッセージを送信することによってRRC Connection Requestメッセージまたは他のＲＲＣメッセージに応答することができる。ページングメッセージは、システム情報変更インジケータを含むことができる。ＮｏｄｅＢは、しばらくＭＩＢおよび／またはＳＩＢをブロードキャストし、その後、省エネルギモードに戻ることができる。ＷＴＲＵがｃｅｌｌ＿ＦＡＣＨ状態である場合には、ＮｏｄｅＢは、SYSTEM INFORMATION CHANGE INDICATIONメッセージをＷＴＲＵに送信することができる。
【００９８】
通常動作の下で、ＷＴＲＵがＮｏｄｅＢからＭＩＢを受信しない時には、ＷＴＲＵは、ＮｏｄｅＢを禁止されているものとして解釈する可能性がある。これが発生するのを防ぐために、ＮｏｄｅＢは、ＮｏｄｅＢが省エネルギモードであることを示すインジケータをＣＰＩＣＨフレームに含めることができる。ＷＴＲＵは、このインジケータを含む可能性があるＣＰＩＣＨフレームを受信し、インジケータを処理することができる。インジケータに基づいて、ＷＴＲＵは、ＮｏｄｅＢが省エネルギモードであることを判定することができる。さらに、ＷＴＲＵが、ＮｏｄｅＢが省エネルギモードであることを判定できるので、ＷＴＲＵは、ＭＩＢを読み取ることを試みない（ＭＩＢが送信されていないので）ことの決定を行うことができる。あるいはまたはそれに加えて、ソースＮｏｄｅＢは、ＷＴＲＵに１つまたは複数のメッセージを送信することができ、この１つまたは複数のメッセージは、ターゲットＮｏｄｅＢが省エネルギモードであることを示す１つまたは複数のフィールドを含む。この１つまたは複数のメッセージに基づいて、ＷＴＲＵは、ターゲットＮｏｄｅＢが省エネルギモードであると判定し、ターゲットＮｏｄｅＢが禁止されていないことを知ることができる。
【００９９】
実施形態は、上述した手法に加えてまたはこれに対する代替案として、例示的な第４の省エネルギモードが、ＮｏｄｅＢがデータチャネル上で送信でき、いくつかの実施形態ではデータチャネル上で送信できるのみであり、アクセス関連ダウンリンクチャネル（例えば、確認指示チャネル（ＡＩＣＨ）および／またはＢＣＣＨなど）上で送信できないことを含むことができることを企図する。これは、上述した手順のいずれかを使用して達成することができる。この省エネルギモードを、「トラフィック専用（traffic-only）」省エネルギモードと称する場合がある。ＮｏｄｅＢは、測定のために、ＣＰＩＣＨのみおよび／またはいくつかの実施形態でＳＣＨを送信し続けることができる。ＮｏｄｅＢは、接続モードであるＷＴＲＵのみと通信することができる。この省エネルギモードによれば、ＷＴＲＵは、通常の再選択方法を使用してＮｏｄｅＢにキャンプできない場合がある。あるいはまたはそれに加えて、この省エネルギモードは、ＷＴＲＵが測定し、１つまたは複数のネットワークに報告するために必要になる可能性がある信号を提供することができる。実施形態は、この省エネルギモードを、１つまたは複数のＷＴＲＵが測定を実行することを可能にするために、一時的に、おそらくはある時間期間（所定のまたは他の形の）にわたってイネーブルされ得ることを企図する。ＮｏｄｅＢは、この時間期間の終りにまたはＲＮＣもしくは他の制御側ノードからの休眠モードに入るメッセージの受信時に、省エネルギモードから出、休眠モードに入ることができる。
【０１００】
ＷＴＲＵおよび／またはベースノード（または基地局）の機能または能力を対象とする本明細書で説明される実施形態のいずれをも、開示される機能または能力を実行するように構成された１つまたは複数のプロセッサによって実施できることを理解されたい。例えば、図１Ｂに関して説明されたプロセッサ１１８を、本明細書で開示される様々なＷＴＲＵの機能および能力の一部または全てを全体的にまたは部分的に実行するように構成することができる。また、例として、図２に関して説明されたＲＮＣまたはＮｏｄｅ−Ｂに含まれるプロセッサを、本明細書で開示される様々なベースノードの機能または能力の一部または全てを全体的にまたは部分的に実行するように構成することができる。
【０１０１】
ＷＴＲＵは、通常動作に従って動作しつつあるセルにキャンプすることができる。ＷＴＲＵが接続モードに移る時に、ソースＮｏｄｅＢは、トラフィック専用省エネルギモードで動作しつつあるセルにＷＴＲＵをハンドオーバすることができる。
【０１０２】
実施形態は、トラフィック専用ＮｏｄｅＢを、Measurement Control（測定制御）メッセージを使用してＷＴＲＵにアドバタイズできることを企図する。Measurement Controlメッセージを、ＤＣＨ接続状態でＷＴＲＵに送信することができる。トラフィック専用ＮｏｄｅＢを、ソフトハンドオーバアクティブセットの一部として含めることができる。通常のＤＣＨ接続状態動作に含まれる動作の一部またはすべてを、トラフィック専用ＮｏｄｅＢに適用可能とすることができる。
【０１０３】
ＷＴＲＵは、トラフィック専用ＮｏｄｅＢ上の呼および／またはパケットデータ伝送に参加することができる。実施形態は、呼／パケットデータ伝送の終りに、ＷＴＲＵを、既存の手順に基づいて、同一ネットワーク内の通常のセルまたは異なるＲＡＴにハンドオーバできることを企図する。あるいはまたはそれに加えて、ＮｏｄｅＢおよび／またはＲＮＣは、ＷＴＲＵに接続解放メッセージを送信することができる。この接続解放メッセージに応答して、ＷＴＲＵを、ＦＡＣＨ状態に移すことができ、通常のアクティブ状態のＮｏｄｅＢにハンドオーバすることができる。例えば、ＦＡＣＨは、セカンダリＣＣＰＣＨによって搬送され得るフォワードアクセスチャネルである。また、例えば、ＰＣＨ（ページング・チャネル）も、セカンダリＣＣＰＣＨによって搬送され得る。ＦＡＣＨを、アップリンク（ＵＬ）チャネル上でＲＡＣＨ（ランダムアクセスチャネル）に答えるのに使用することができる。
【０１０４】
実施形態は、マイクロセル基地局の省エネルギモードを企図する。前に提供した例は、マクロＮｏｄｅＢに関するが、説明される原理は、ＨＮＢ（Home NodeB）および他のマイクロセル基地局に同等に適用可能である。
【０１０５】
ＨＮＢが、ＭＩＢおよびＳＩＢ３／４を送信することを要求される場合がある。ＨｅＮＢ（Home eNodeB）も、ＭＩＢおよびＳＩＢ１を送信することを要求される場合がある。これらの要求は、ＰＳＣ（ＨＮＢの）およびＰＣＩ（ＨｅＮＢの）の使用に起因して生じる可能性がある少なくともいくつかの問題に対処するために実施される。例えば、ＰＳＣ（Primary Synchronization Code）について、限られた個数のＰＳＣコードがある場合があり、これは、一意コードの個数が限られている可能性があるので、多数のＨＮＢがある時に問題を引き起こす可能性がある。同様の問題が、ＬＴＥのＰＣＩ（Physical Cell Identity）についても存在する可能性がある。ＲＲＣ機能を、ＨＮＢに配置することができ、ＨＮＢ管理システム（ＨＭＳ）エンティティとのインターフェースが、構成を制御することができる。実施形態は、制御側ＲＮＣをＨＮＢとすることができることを企図する。
【０１０６】
ＷＴＲＵは、ＨＮＢに関連するシステム情報およびセルアクセスパラメータを受信し、格納することができる。ＷＴＲＵは、ＷＴＲＵがＨＮＢから格納するフィンガープリントタイプ情報の一部としてこのパラメータを格納することができる。ＷＴＲＵは、ＨＮＢが省エネルギモードである時に使用できる情報要素にこの情報を格納することができる。
【０１０７】
ＰＳＣまたはＰＣＩが変更されるか再構成される（例えばリブート、電力サイクル、または他の理由に起因して）場合には、ＷＴＲＵは、追加のシステム情報ブロックを自動的に再獲得することができる。あるいはまたはそれに加えて、システムパラメータを、ＨＮＢ−ＧＷおよび／またはＨＮＢ管理システム（ＨＭＳ）によって維持し／格納することができる。ＰＳＣまたはＰＣＩが変更される時に、維持され／格納されたシステムパラメータを、ＨＮＢ構成に使用することができる。
【０１０８】
ユーザ／ワット比としてのＨＮＢのエネルギ消費は、フェムトセル（またはＨＮＢ）によってサービスされる減らされたユーザ数に起因して、マクロセルの比より大きく、おそらくは大幅に大きい可能性がある。しかし、ＨＮＢを、ＣＰＥ（customer premises equipment）と考えることができ、したがって、消費されるエネルギを、顧客に請求することができる。次は、ＨＮＢ省エネルギモードに対処し、ＨＮＢ所有者のサービスサブスクリプションの概念を説明することができる。効率的な説明のために、本明細書で使用される用語ＨＮＢを、フェムトセルを含むと理解することができる。また、本明細書で使用される用語フェムトセルは、ＨＮＢを含むと理解することができる。
【０１０９】
実施形態は、ＨＮＢに関するＷＴＲＵロケーション判定を可能にすることができる新しいＭＤＴ（Minimization of Drive Test）測定タイプを企図する。この測定を、ネットワークが格納した可能性があるＷＴＲＵモビリティヒストリに基づいて、ＨＮＢの近傍のマクロ層ネットワークまたはＨＮＢ（例えば、キャンパスネットワークシナリオで）によってセットアップすることができる。この測定セットアップを、ＵＭＴＳの専用RRC Measurement Controlメッセージによって実行することができ、またはＭＩＢもしくは他のＳＩＢ内で搬送される情報に基づいてＷＴＲＵによって自律的に確立することができる。この測定報告を、例えば１回限りの報告または周期的報告とすることができる。
【０１１０】
あるいは、ＷＴＲＵは、例えば有効なフィンガープリントを有する格納されたホワイトリストからのＨＮＢに接近する時に、この報告の自律的送信を開始することができる。あるいはまたはそれに加えて、測定報告を、１回限りの報告としてユーザによって手動でトリガすることができる。
【０１１１】
実施形態は、以下でＭＤＴ  ＨＮＢと称するこの測定要求／報告メッセージが、トリガタイプ（例えば、省エネルギＨＮＢ）、構成パラメータ（例えば、Energy Saving Mode（省エネルギモード）またはActive Normal State（アクティブ通常状態））、または測定パラメータというパラメータのうちの１つ、全て、または任意の組合せを含むことができることを企図する。測定パラメータは、例えば、ＨＮＢ（ＣＳＧ  ＩＤ、ＰＬＭＮ、ＲＡＴ、または周波数）、ロケーション（ＧＰＳまたは他のタイプのロケーション情報）、タイムスタンプ（時間報告）、遅延（省エネルギモードから出るかこれに入るための時間）、および／または無線環境測定値を含むことができる。
【０１１２】
実施形態は、ネットワークが、省エネルギモードのＨＮＢを通常のアクティブ状態に移すためにＭＤＴ  ＨＮＢ関連報告を使用できることを企図する。測定報告は、少なくとも構成パラメータActive Normal Stateフラグをセットさせることができる。さらに、このアクションを、報告内でセットされる遅延時間に基づくものとすることができる。
【０１１３】
あるいは、報告を、少なくとも構成パラメータEnergy Saving Modeフラグをセットされた状態で送信することができる。これは、これらの測定を有するＨＮＢを省エネルギモードに送ることを含むことができる。この報告を、例えば加入者によって手動でトリガすることができる。このメッセージの受信時に、ネットワークは、このＣＳＧ  ＩＤ（Closed Subscriber Group identification）を有するＷＴＲＵのメンバシップをチェックし、ＨＮＢによってサービスされる他のＷＴＲＵについてチェックし、省エネルギモードに入ることに関するすべての条件が満足される場合に、省エネルギモードのためにＨＮＢを再構成することができる。このアクションを、報告内でセットされる遅延時間に基づくものとすることができる。例えば、ＨＮＢは、どのＷＴＲＵがＨＮＢを使用できるのかを制限できるＣＳＧを有することができる。
【０１１４】
ＭＤＴ  ＨＮＢ報告タイプを受信する時に、ネットワークは、ＨＭＳデータベースおよびコアネットワーク内のエネルギ状況ビットを更新することができ、測定値、遅延時間、およびEnergy Saving Mode／Active Normal Stateフラグに従ってＨＮＢ状態変更を実行することができる。ネットワークは、ＨＭＳプロビジョニング手順または省エネルギモードパラメータを含む新しいメッセージを使用することができる。ＨＮＢは、ＨＭＳオーダーに基づいて省エネルギモードに入り／から出ることができる。
【０１１５】
実施形態は、ＭＤＴネットワークノードエンティティをＭＤＴタイプの報告のエンドポイントとして使用できる場合に、ＭＤＴノードとＨＭＳエンティティとの間の新しいインターフェースが、省エネルギ関連オーダーおよびＨＮＢ状態同期化を交換するために必要である可能性があることを企図する。さらに、ＨＮＢに隣接するノードに、おそらくはＭＤＴ  ＨＮＢ測定トリガに関するインターオペラビリティを可能にするために、ＨＮＢエネルギ状態について知らせることができる。この特徴を、ネットワークサブスクリプションサービスとすることができる。したがって、この特徴にサブスクライブしたＷＴＲＵは、それ自体のＨＮＢセルの省エネルギ動作に関する特徴を使用することを許可され得る。
【０１１６】
実施形態は、新しい測定タイプ能力を、新しい能力ビットを介してまたはＷＴＲＵのリリース番号によってシグナリングできることを企図する。この能力シグナリングを、サービスサブスクリプションによって条件付けることができる。あるいは、ネットワークは、ＭＩＢもしくは他のシステム情報要素内または例えばMeasurement Controlメッセージもしくは他のＲＲＣメッセージなどの専用ＲＲＣメッセージ内の新しいビットを介してこの能力をシグナリングすることができる。
【０１１７】
省エネルギが可能であるものとすることができるＨＮＢは、能力ビットを介してまたはリリース番号を介して、ネットワークへの登録手順中にこの能力をシグナリングすることができる。この能力の検出時に、ＨＭＳは、省エネルギ動作のためにＨＮＢを構成することができ、またはサポートされない場合に特徴をディスエーブルすることができる。あるいは、省エネルギ特徴がサポートされる場合に、省エネルギ特徴を、サービスサブスクリプション基礎に基づいてディスエーブル／イネーブルすることができる。
【０１１８】
新しいビットを、省エネルギ状態すなわちEnergy Saving Mode／Active Normal Stateを維持するためにＨＭＳ（ＨＮＢ管理システム）データベースに追加することができる。このビットを、ＣＳＧ  ＩＤおよびセルアイデンティティについてコアネットワーク内で複製し、ＨＭＳデータベースと同期化することができる。これは、ＨＭＳが、動的な形でモビリティに基づいて省エネルギモード動作を実行することを可能にすることができる。
【０１１９】
上述した省エネルギモードおよび／または他の特徴のうちの１つまたはいずれかと組み合わせて、異なる統計技法を使用して、ＮｏｄｅＢが省エネルギモードに入らなければならない時を判定することができる。例えば、ＯＡＭ（運用保守）統計を使用することができる。ＯＡＭ統計は、いくつかの場合に、非動的であり、かつ／または準静的意思決定技法を含むことができる。ＯＡＭ統計を、長期的に収集された統計とすることができる。あるいはまたはそれに加えて、ＴＮＬ（Transport Network Layer）統計を使用することができる。ＴＮＬ統計は、トランスポートネットワークアクティビティに基づき、省エネルギ判断に関する統計およびインターフェースを含むことができる。あるいはまたはそれに加えて、ＲＮＬ（無線ネットワーク層）統計を使用することができる。ＲＮＬ統計を、ＲＮＣ統計に基づくものとすることができる。いくつかの場合に、ＲＮＬ統計を、統計に関しての動的と考えることができる。
【０１２０】
図１０に、ベースノードが１つまたは複数の省エネルギモードを判定し、当該省エネルギモードに入る例示的実施形態を示す。符号１００２では、ベースノードは、１つの省エネルギモードまたは１つもしくは複数の省エネルギモードを判定することができる。符号１００４では、ベースノードを、判定された１つの省エネルギモードまたは１つもしくは複数の省エネルギモードにすることができる。符号１００６では、ベースノードが、省エネルギモード状況の指示を提供することができる。符号１００８では、ベースノードが、判定された１つの省エネルギモードまたは１つもしくは複数の省エネルギモードからアクティブモードに遷移することができる。
【０１２１】
実施形態は、セルが無線で信号を全く送信していない可能性がある時に、セルが休眠モードであると言うことができることを企図する。休眠モードのセルは、ＷＴＲＵによって検出されない可能性があり、またはＷＴＲＵによって検出可能ではない可能性がある。さらに、セルが、制御チャネルのサブセットだけ、例えば、基準信号、ＣＰＩＣＨ（共通パイロットチャネル）、ＳＣＨ（同期チャネル）などの同期信号、および、いくつかの実施形態で、おそらくはＤＴＸ（discontinuous transmission）の延長された期間を有する、ＢＣＨ（ブロードキャストチャネル）を送信している時に、そのセルが低アクティビティモードであると言うことができる。
【０１２２】
本明細書で言及される場合、ターゲットセルを、マクロセル、またはそれどころかフェムトセルもしくはピコセルをカバーする、通常のＮｏｄｅＢとすることができる。ターゲットセルが、省エネルギモード（休眠モードまたは低アクティビティモードのいずれか）であると仮定することができる。本明細書で言及される場合、（ＣＰＩＣＨ）は、他の技術で測定目的に使用できる基準チャネルを指す。
【０１２３】
実施形態は、ターゲットセルの基準パイロットチャネル（例えば、ＣＰＩＣＨ）が、ＷＴＲＵが１つまたは複数の要求される測定を正しく実行するのを助けることができるＳＣＨ（プライマリチャネルおよびセカンダリチャネルの両方）をブロードキャスト／アクティブ化できることを企図する。したがって、本明細書でＣＰＩＣＨに言及する場合、これが、測定に必要な基準チャネルの任意の組合せに言及する可能性があることを理解されたい。
【０１２４】
実施形態は、休眠モードのセルを測定する１つまたは複数のプロトコル態様／フレームワークを企図する。例えば、図３に、ＷＴＲＵが休眠セルアクティブ化に関するロケーションベースのトリガを使用できる例示的実施形態のタイミング図を示す。
【０１２５】
実施形態は、ＷＴＲＵがターゲット休眠セルの近傍に来た後にトリガできる測定を用いてＷＴＲＵを構成できる（符号３０２）ことを企図する。例えば、ターゲット休眠セルの近傍にあることは、セルが休眠していない場合にターゲット休眠セルによってＷＴＲＵにサービスできるロケーション、またはセルが休眠していない場合にＷＴＲＵがターゲット休眠セルを測定しているロケーションを意味し、または含むことができる。ＷＴＲＵが休眠セルの近傍にあることをＷＴＲＵが検出した後に、ＷＴＲＵが休眠セルの近傍にあることをＲＲＣシグナリングを使用してネットワークにシグナリングするように、ＷＴＲＵを構成することができる。例えば、ＷＴＲＵは、トリガを引き起こした測定を搬送できるＭＥＡＳＵＲＥＭＥＮＴ  ＲＥＰＯＲＴ（測定報告）メッセージを使用することができる（符号３０２）。
【０１２６】
本明細書で説明される実施形態を、１つの休眠セルに関して説明することができるが、実施形態が、１つまたは複数の休眠セルに同等に適用可能であることを理解されたい。より具体的には、複数のセルが、ＷＴＲＵの近傍で休眠している可能性がある場合に、ネットワークがＷＴＲＵの正確なロケーションを知らないシナリオで、複数の休眠セルが、報告されてもよく、本明細書で説明する実施形態のいずれかを使用してウェイクアップされてもよい。
【０１２７】
ネットワークを、休眠ターゲットセルをウェイクアップするように構成することができる。これは、例えば、ＬＴＥシナリオでＩｕｒ／ＩｕｂインターフェースまたはＳ１／Ｘ２インターフェースを介して休眠セルにウェイクアップ信号をシグナリングすることによって達成することができる。ウェイクアップ信号は、セルが基準チャネル（１つまたは複数）およびＷＴＲＵ測定に必要である可能性がある他のチャネルをパワーアップする必要があることを示すことができる。ＵＭＴＳに関して、これは、ＣＰＩＣＨおよび／またはいくつかの実施形態ではＳＣＨに対応することができる。ＷＴＲＵが測定するＣＰＩＣＨは、WAKE UP CPICHメッセージ内で示される（符号３０３）。このウェイクアップメッセージに応答して、ターゲットセルを、ＣＰＩＣＨがアクティブ化された後に、ＲＮＣに確認メッセージ（例えば、WAKE UP CPICH Confirm（ＣＰＩＣＨウェイクアップ確認））を送信するように構成することができる（符号３０４）。WAKE UP CPICHメッセージおよびWAKE UP CPICH Confirmメッセージを、新しいメッセージおよび／または例えば休眠モードインジケータ情報要素（ＩＥ）を搬送するCELL RECONFIGURATION MESSAGE（セル再構成メッセージ）などの既存メッセージとすることができる。
【０１２８】
実施形態は、ターゲットセルがそのＣＰＩＣＨまたは基準信号を送信し始めた後に、ネットワークが、このセルを測定するためにＷＴＲＵを再構成できる（符号３０５）ことを企図する。これは、例えば、特定の周波数で特定のセルを測定することを要求する新しいMEASUREMENT CONTROLメッセージをＷＴＲＵに送信することによって達成することができる。必要な場合には、ネットワークは、周波数間（またはＲＡＴ間）測定に必要な測定ギャップを提供することもできる。オプションで、ネットワークは、MEASUREMENT CONTROLメッセージと一緒に、そのセルの測定を可能にするパラメータ（例えば、拡張されたＤＴＸパラメータまたは休眠セルパラメータ）を提供することもできる。ＷＴＲＵを、さらに、ＲＲＣシグナリングを使用して、要求された測定値を有するMEASUREMENT REPORTをＲＮＣに送信する（符号３０６）ように構成することができる。その後、ＲＮＣを、ハンドオーバ判断を行う（符号３０７）ように構成することができる。
【０１２９】
あるいはまたはそれに加えて、ターゲットセルは、WAKE UP CPICHオーダーの受信時に、Ｐ−ＣＣＰＣＨ（プライマリ共通制御物理チャネル）上でＢＣＨトランスポートチャネルのブロードキャストを開始することもできる。これは、例えば、ＳＦＮ（システムフレーム番号）が、以前に説明した手順のWTRU Measurement Control内で要求される（符号３０５）場合に、またはＷＴＲＵが正しく動作するためにＭＩＢ／ＳＩＢ（マスタ情報ブロック／システム情報ブロック）からの情報を必要とする可能性があるＬＴＥシステムについて、発生する可能性がある。
【０１３０】
いくつかの実施形態では、ＭＩＢだけを、他のＳＩＢなしでブロードキャストすることができ、あるいは、ＳＩＢ１および／またはＳＩＢ３だけを、ＭＩＢと組み合わせてブロードキャストすることができる。あるいは、すべてのＳＩＢをアクティブ化することができ、または関連情報を有するＳＩＢだけをアクティブ化することができる。
【０１３１】
測定期間（符号３０５〜３０６）中にアクティブ化されない場合に、Ｐ−ＣＣＰＣＨ物理チャネル上のＢＣＨトランスポートチャネルを、ターゲットセルのアクティブ化（アクティブ状態への移動）の際にアクティブ化することができる。
【０１３２】
アイドルモードの他のＷＴＲＵがこのセルにキャンプするのを防ぐために、ターゲットセルを、セル測定が許可される期間中または完全にアクティブ化された後にさえ、禁止しまたは予約することができる。実施形態は、完全にアクティブ化されたセルが、他のＷＴＲＵがこのセルにキャンプするのを禁止できることを企図する。例えば、接続モードＷＴＲＵがこのセルのカバレージの外に移動した後に、ネットワークは、アイドルモードＷＴＲＵをこのセルの外に移動する必要なしに、この特定のセルをもう一度非アクティブ化することができる。セル禁止を、既存の手順を使用して実施することができ、あるいは、ＢＣＨ上の新しいインジケータが、セルが測定のためにのみアクティブになることができ、ＷＴＲＵがこれにキャンプすることができないことを示すことができる。
【０１３３】
ネットワークが、ハンドオーバに進むという判断を行うと仮定すると、ネットワークは、必要な場合に、ターゲットセルがアクティブ状態まで完全にウェイクアップする必要があることをターゲットセルに示すことができる。これは、Ｉｕｒ／Ｉｕｂを介してターゲットセルにACTIVE STATE（アクティブ状態）信号を送信する（符号３０８）ことによって達成することができる。その後、ターゲットセルは、完全にアクティブ化される時に、ACTIVE STATE Confirm（アクティブ状態確認）メッセージを用いて応答することができる（符号３０９）。
【０１３４】
ターゲットセルが完全にアクティブ化された後に、ネットワークは、ハンドオーバ手順に進むことができる（符号３１０）。セルが、ステップ３０５〜３０６中に禁止した場合には、アクティブ状態に移動した後に、禁止するオプションをオフに切り替え、通常動作アクセスを可能にすることができる。
【０１３５】
図４に、ＷＴＲＵが休眠セルアクティブ化に関するロケーションベースのトリガを使用でき、ネットワークがターゲットセルへのハンドオーバに進むべきか否かの判断を行える（符合４０７）、もう１つの例示的なタイミング図を示す。この場合では、ネットワークは、例えば、Ｉｕｒ／Ｉｕｂを介してSLEEP CPICH信号を送信し、効果的にセルを休眠状態に送ることによって、ターゲットセルにその基準チャネル（ＣＰＩＣＨ、ＳＣＨ、および恐らくはブロードキャストされる場合にＢＣＨ（Ｐ−ＣＣＰＣＨ））をオフに切り替えるように指示することができる（符号４０８）。ターゲットセルは、いくつかの実施形態で、それが現在は休眠状態であることをネットワークに示すために、SLEEP CPICH Confirmを用いて応答することができる（符号４０９）。WAKE UP CPICHメッセージに関して、このSLEEP CPICHメッセージを、新しいメッセージとすることができ、または、例えば休眠モードインジケータＩＥを搬送するCELL RECONFIGURATION MESSAGE ＩＥなどの既存のメッセージとすることもできる。図４の要素４０１〜４０６は、図３に関して説明した要素３０１〜３０６に類似する。
【０１３６】
本明細書で前におよび他の形で説明した要素を、任意の組合せまたは順序で実行することができ、いくつかの要素が、実施形態の特定の実施態様に依存して実行されない場合がある。
【０１３７】
あるいは、ネットワークは、単にＣＰＩＣＨをウェイクアップするのではなく、ＷＴＲＵの近傍の指示の際にセルを完全にウェイクアップすることができる。ネットワークは、前に説明したように通常動作でセルを構成することができる。セルは、いくつかの実施形態で、禁止されまたは予約され、ハンドオーバ判断が実行された後に、ネットワークは、セルに関連する無線リンクリソースをセットアップし、ハンドオーバを実行することができる。
【０１３８】
実施形態は、前に説明した要素が、セルが休眠モードではなく低アクティビティモードであるシナリオにも適用可能とすることができることを企図する。より具体的には、ＷＴＲＵが報告をトリガした後に、ネットワークは、低アクティビティモードから出てセルを移動し、オプションで、ＣＰＩＣＨをウェイクアップすることができ、あるいはセルを完全にウェイクアップすることができる。
【０１３９】
図５に、ＷＴＲＵが近傍指示を提供でき、構成の後に低アクティビティモードのセルを測定できる例示的実施形態のタイミング図を示す。
【０１４０】
実施形態は、ＷＴＲＵが低アクティビティモードのターゲットセルの近傍に来た後にトリガされ得る測定を用いてＷＴＲＵを構成できる（符号５０１）ことを企図する。ＷＴＲＵは、低アクティビティモードのセルを測定するようには構成されない。ＷＴＲＵは、ターゲットセルの近傍にあることを検出した後に、これをＲＲＣシグナリングを介して、例えばトリガを引き起こした測定値をオプションで搬送するMEASUREMENT REPORTメッセージを使用して、ネットワークに示す（符号５０２）。
【０１４１】
ネットワークを、低アクティビティモードのターゲットセルを測定するようにＷＴＲＵに要求するように構成することができる。ＷＴＲＵは、測定情報を提供するMEASUREMENT CONTROLメッセージを受信することができる（符号５０３）。測定を実行し、例えばMEASUREMENT REPORTを介して結果をネットワークに報告するように、ＷＴＲＵを構成することができる（符号５０４）。
【０１４２】
ネットワークを、ハンドオーバを実行する判断を行うように構成することができる（符号５０５）。この場合では、ネットワークは、例えばＩｕｂ／Ｉｕｒシグナリングを介してACTIVE STATEメッセージを送信する（符号５０６）ことによって、通常の動作モードに変更するように低アクティビティモードのターゲットセルにシグナリングする。その後、ターゲットセルは、通常の動作モードを再開した後に、ACTIVE STATE Confirmメッセージを用いてＲＮＣに応答することができる（符号５０７）。ターゲットセルが通常の動作モードになった後に、ハンドオーバ手順を実行することができる（符号５０８）。
【０１４３】
図６に、ネットワークが、ターゲットセルへのハンドオーバに進むべきではないと判断する（符号６０５）例示的なタイミング図を示す。ターゲットセルが既に低アクティビティモードである可能性があるので、さらなるアクションが必要ではない可能性がある。図６の要素６０１〜６０４は、図５に関して説明した要素５０１〜５０４に類似する。
【０１４４】
実施形態は、低アクティビティモードである可能性があるターゲットセルを測定するようにＷＴＲＵを構成できることを企図する。図７に、ＷＴＲＵが、ハンドオーバが実行される低アクティビティモードのセルを連続的に測定できる例示的実施形態のタイミング図を示す。
【０１４５】
実施形態は、ＲＲＣシグナリングを介してネットワークによるMEASUREMENT CONTROLメッセージを受信する（符号７０１）ようにＷＴＲＵを構成できることを企図する。この測定制御は、潜在的に拡張されたＤＴＸ情報を含む、測定すべきターゲットセルに関する特定の情報を搬送することができる。ＷＴＲＵは、適当な時にターゲットセルに関連する測定値を搬送するMEASUREMENT REPORTをトリガし、送信することができる（符号７０２）。ネットワークは、ハンドオーバ判断を行うことができる（符号７０３）。
【０１４６】
あるいはまたはそれに加えて、ターゲットセルは、ＢＣＨ（Ｐ−ＣＣＰＣＨ）（ブロードキャストチャネル  プライマリ共通制御物理チャネル）をブロードキャストし、ＭＩＢおよび必要なＳＩＢに基づいてＤＴＸサイクルを編成することができる。ＷＴＲＵが低アクティビティ状態中にセルにキャンプするのを防ぐために、ネットワークは、セルを禁止されまたは予約されたままに保ち、アクティブ状態に移る時に限ってセルを通常サービスに戻すことができる。あるいは、ターゲットセルを、完全にアクティブ化された後であっても禁止されまたは予約されたままに保つことができる。
【０１４７】
いくつかの実施形態では、ＭＩＢだけを、他のＳＩＢなしでブロードキャストすることができ、あるいは、ＳＩＢ１および／またはＳＩＢ３だけを、ＭＩＢと組み合わせてブロードキャストすることができる。あるいは、すべてのＳＩＢをアクティブ化することができ、またはおそらくは関連情報を有するＳＩＢだけをアクティブ化することができる。
【０１４８】
ＢＣＨ（Ｐ−ＣＣＰＣＨ）チャネルが、ＳＦＮ（システムフレーム番号）を読み取るために要求される場合があり、ＳＦＮは、ＤＬ信号のフレーム構造を理解するのに有用である可能性があり、いくつかの実施形態ではおそらくその理解に必要である。ＷＴＲＵを、ターゲットセルのＳＦＮを読み取るように構成することができるが、いくつかの実施形態では、ＷＴＲＵは、ＤＴＸサイクルまたはＰ−ＣＣＰＣＨチャネルがブロードキャストされないことに起因して、ＳＦＮを復号できない場合がある。実施形態は、ＷＴＲＵがＳＦＮなしでまたはダミー値を伴って、測定されたセルの要求される品質（ＣＰＩＣＨ  ＲＳＣＰまたはＥｃ／Ｎｏ）を報告することを可能にすることおよび／または測定報告内で「ＳＦＮが読取り可能ではない」を意味するフラグをセットすることを企図する。
【０１４９】
ＢＣＨ（Ｐ−ＣＣＰＣＨ）チャネルが、低アクティビティモードでブロードキャストされない場合には、これをアクティブ化することができ（例えば、下で説明する７０４で）、ＷＴＲＵは、ブラインドハンドオーバを実行することができる（おそらくは、ハンドオーバ時のＳＦＮ読みを用いて）。
【０１５０】
実施形態は、ネットワークがハンドオーバに進むと判断できる場合に、ＲＮＣが、例えばＩｕｂ／Ｉｕｒを介してACTIVE STATEメッセージを送信する（符号７０４）ことによって、ターゲットセルにフルアクティブ状態に進むようにシグナリングできることを企図する。あるいはまたはそれに加えて、ターゲットセルは、例えばACTIVE STATE Confirmメッセージを送信する（符号７０５）ことによって、フルアクティブ状態に達した時に確認メッセージをＲＮＣに送り返すことができる。ターゲットセルを完全にアクティブ化できた後に、ネットワークは、ハンドオーバ手順（符号７０６）に進むことができる。
【０１５１】
図８に、ＷＴＲＵが、ハンドオーバがない場合に低アクティビティモードのセルを連続的に測定できる（符号８０３）例示的なタイミング図を示す。ターゲットセルは、既に低アクティビティモードなので、さらなるアクションは不要である。図８の要素８０１および８０２は、図７に関して説明した要素７０１および７０２に類似する。
【０１５２】
実施形態は、セル近傍の判定に使用されるＷＴＲＵロケーション情報が、本明細書で説明する実施形態の成功の応用に有用な要素である可能性があることを企図する。実施形態は、１つまたは複数のＷＴＲＵ測定値を使用してロケーション情報を入手する方法を企図する。
【０１５３】
実施形態は、推定精度の１つまたは複数の異なるレベルでロケーション情報を獲得するのを助けるためにＷＴＲＵによって実行できる複数の測定を企図する。測定は、無線環境測定から専用位置測定までの範囲にわたるものとすることができる。より具体的には、測定は、ダウンリンクパイロットトーンの受信電力（ダウンリンクパイロットは、ＷＣＤＭＡではＣＰＩＣＨチャネル上で搬送され、ＬＴＥではＣＲＳ（common reference signal）上で搬送される）、共通チャネルのＳＩＲ（信号対干渉比）またはＥｃ／Ｎｏ（チップあたりのエネルギ／雑音、受信信号の信号対雑音比の尺度とすることができる）、送信信号と受信信号との間の電力減衰によって計算される経路損失などのチャネル条件パラメータ、並びにＩＰＤＬ（Idle Period in Down Link）からの時間差測定によって達成されるロケーションサービスであるＩＰＤＬ測定手順によって入手されるロケーション情報を含むことができる。
【０１５４】
複数の同一位置に配置されない隣接ＮｏｄｅＢに関して実行される上述した測定のうちの１つまたは複数に基づいて、ＷＴＲＵまたはＲＮＣは、ＷＴＲＵロケーションの近似推定値を提供する能力、例えばパターンマッチング技術を有することができる。
【０１５５】
実施形態は、ＷＴＲＵがＧＰＳを備えることができ、したがって正確な位置情報をＷＴＲＵから入手可能にすることができることを企図する。しかし、ＧＰＳは、ＷＴＲＵ電池の電力消費影響に悪影響する可能性がある。したがって、実施形態は、電池電力を節約するために、可能な場合には頻繁なＧＰＳ測定を回避できることを企図する。
【０１５６】
実施形態は、ＷＴＲＵでのＧＰＳ測定など、１つまたは複数のタイプの測定をネットワークによってトリガできることを企図する。ネットワークは、ＷＴＲＵが、省エネルギ機構が発生し得る地理的区域内にあることを判定することができる。例えば、その区域内のセルが、休眠状態または低アクティビティ状態である場合がある。あるいは、これをＷＴＲＵによって自律的に判定することができる。
【０１５７】
ＷＴＲＵは、測定された無線環境パラメータを、測定がそこから実行された、ＮｏｄｅＢに対するＷＴＲＵの地理的位置にマッピングするフィンガープリント情報を格納することもできる。例えば、このフィンガープリントマップを、ＷＴＲＵによって記録された履歴情報を介して入手することができ、かつ／またはネットワークからの事前に構成されたダウンリンク送信とすることができる。このフィンガープリントマップを使用して、ＷＴＲＵがリモートアクセスポイントの分布を知ることが可能である場合もある。
【０１５８】
実施形態は、ＭＤＴ（Minimization of Driving Test）特徴が、例えばセルラオペレータの展開および運営コストを減らす努力において、重要な測定情報をログ記録し、ネットワークに送信する能力をＷＴＲＵに与えることができることを企図する。この特徴における指定された測定パラメータは、既に要求されるロケーション情報を含むことができるので、この特徴は、節電を達成する便利な形である可能性がある。ＷＴＲＵの測定方法および報告方法を、上述したＷＴＲＵ測定パラメータに基づくものとすることができる。
【０１５９】
さらに、ＷＴＲＵは、報告をトリガするために、次の判断基準およびトリガを個別にまたは任意の組合せで使用することもできる。判断基準は、接続モードのＷＴＲＵを含み、ＷＴＲＵ内の負荷は、閾値を、おそらくは定義された時間期間にわたって超えることができる。閾値および／または時間を、ネットワークによって明示的に構成することができ、またはＷＴＲＵ内で事前に定義することができる。閾値および／または時間を、イベント、測定タイプ、および／もしくは能力が上述したように構成される時に、または他の測定タイプ、例えばＴＶＭ（トラフィック量測定））からの閾値のうちの１つを使用できる時に、構成することができる。また、報告のトリガは、ＷＴＲＵ内で構成された所定のサービスまたはアプリケーションと、例えばＷＴＲＵが高モビリティ状態などの特定のモビリティ状態である可能性があるかどうかとを介するものとすることができる。
【０１６０】
あるいは、ＷＴＲＵは、ネットワーク信号、ＷＴＲＵ標準、または自律的に判定されるタイマ満了に基づく追加の回数だけ近傍報告を送信することができる。これは、ＷＴＲＵが同一位置にあり、ネットワーク側からの最初の報告時に反応がないことの判定に基づくものとすることができる。いくつかの実施形態では、近傍報告の個数を、ネットワークによって、シグナリングされた値に制限するか、標準値によって判定することができる。これは、例えば、ＷＴＲＵ試行を制限し、ネットワークシグナリング負荷を減らすために行うことができる。
【０１６１】
実施形態は、ＷＴＲＵが以前に議論されたトリガおよび／またはトリガの組合せに基づいて近傍報告を送信する場合に、ＷＴＲＵが、ＷＴＲＵが現在の近傍区域から離れて移動しつつある可能性があることをネットワークに知らせる新しい報告を送信できることを企図する。この報告を、次のトリガのうちの１つまたは任意の組合せに基づくものとすることができる。トリガを、ＷＴＲＵが以前にシグナリングされた近傍区域を出ようとしている可能性があることを示す位置決め方法の検出に基づくものとすることができる。これらは、トリガすべき時刻のタイマと組み合わせることができるネットワーク構成されるロケーションアルゴリズムを含み、かつ／またはトリガすべき時刻のタイマと組み合わせることができるＷＴＲＵロケーション近似アルゴリズムに基づくことができる。トリガは、ネットワークおよび／またはＷＴＲＵによって自律的にシグナリングされ得る、定義された時間期間にわたる高モビリティ状態を検出することを含むことができる。トリガは、測定される休眠セルが、例えば定義された時間期間にわたって閾値未満になることを含むこともできる。
【０１６２】
ハンドオーバコマンドの状況を、近傍報告を送信した後に開始されたタイマの満了時に、ネットワークによってシグナリングしまたはＷＴＲＵによって判定することができる。これを、オプションで、ＷＴＲＵが送信を許可され得る報告の最大個数に関するカウンタと組み合わせることができる。報告の最大個数を、ネットワークによってシグナリングし、標準の固定された値とし、またはＷＴＲＵによって自律的に判定される値とすることができる。
【０１６３】
実施形態は、近傍情報を提供するために、ネットワークが、１つまたは複数の新しい測定イベントを用いてＷＴＲＵを構成できることを企図する。そのようなイベントは、VICINITY（近傍）イベントと称する場合があるが、個別に満足されるおよび／または全てが満足された後にイベントをトリガできるかのいずれかである１つまたは複数の判断基準の組合せを含むことができる。
【０１６４】
あるいは、既存の測定タイプまたはイベントを使用し、拡張して、そのような情報の報告に関する判断基準を含めることができる。あるいは、新しい測定タイプを導入することができる。ＷＴＲＵを、ＷＴＲＵがその近傍を報告することを可能にする検索能力を使用可能にすることができる新しい測定タイプ、既存の測定タイプ、新しいイベント、および／または既存のイベントを用いて構成することができる。
【０１６５】
あるいは、ネットワークからの明示的メッセージを使用して、ＷＴＲＵ内のこの検索能力をイネーブル／ディスエーブルすることができる。いくつかの実施形態では、イベントまたは機構がネットワークによって構成されない場合に、ＷＴＲＵは、この機能性をディスエーブルすることができる。
【０１６６】
実施形態は、１つまたは複数の潜在的な測定構成を企図する。ある潜在的測定構成では、判断基準の１セットが、１つまたは複数のセルからの測定される経路損失が構成される範囲内であることを含むことができる。例えば、ネットワークは、それぞれが特定のセルと測定品質および報告範囲とに言及する１つまたは複数の判断基準を用いてＷＴＲＵを構成することができる。測定品質は、経路損失、ＣＰＩＣＨ  ＲＳＣＰ（共通パイロットチャネル受信信号コード電力）、ＣＰＩＣＨ  Ｅｃ／Ｎｏまたは任意の他の測定からなるものとすることができる。表１に、ＷＴＲＵを３つの異なる測定を用いて構成できる例を示す。ＷＴＲＵが、測定された品質がそのそれぞれの構成された範囲内であると判定した後に、イベントVICINITYを有するMEASUREMENT REPORTを、ＷＴＲＵによってトリガすることができる。
【０１６７】
さらに、他の可能な構成は、セルに関連するＰＳＣ（primary synchronization code）またはＰＣＩ（physical cell identity）を含むこともできる。あるいは、複数のＰＳＣまたはＰＣＩについて、１つの閾値だけを提供することができる。ＷＴＲＵが、例えば１つまたは複数の、要求されたセルの品質が閾値を超える可能性があると判定した後に、ＷＴＲＵは、１つまたは複数の報告をトリガすることができる。
【０１６８】
表１を、例の目的で使用することができる。ＷＴＲＵに供給される構成は、必ずしも１対１マッピングを有するとは限らない１つまたは複数の閾値を有する１つまたは複数のセルを含むことができる。いくつかの実施形態では、これらの条件のすべてが、トリガすべき時刻または報告をトリガする前に他の定義されたタイマについて永続する必要がある可能性がある。
【０１６９】
【表１】
0005890319.tif 000002
【０１７０】
あるいはまたはそれに加えて、ネットワークは、ＷＴＲＵまたはネットワークが位置決めをサポートできる時に、ロケーションベースのトリガを提供することもできる。その場合に、ネットワークは、ロケーション位置（例えば、実際の座標での）情報および範囲（例えば、メートル単位の半径）を用いてＷＴＲＵを構成することができる。ＷＴＲＵが、そのロケーションが構成された範囲内であることを検出する時に、測定報告をＷＴＲＵでトリガすることができる。表２に、ＷＴＲＵが、それが位置１からＸメートル以内である時に測定報告をトリガするように構成され得る例を示す。
【０１７１】
【表２】
0005890319.tif 000003
【０１７２】
実施形態は、ＯＴＤＯＡ（Observed Time Difference Of Arrival）等のＧＰＳ以外の支援される位置決め機構を使用でき、その場合に、ネットワークが、おそらくはＩＰＤＬ（Idle Periods in Downlink）構成を含めることを伴ってＷＴＲＵを適当に構成できることを企図する。実施形態は、位置およびＣＰＩＣＨベースの測定を、判断基準の拡張されたセットを提供するために組み合わせることもできることをも企図する。例えば、表１および／または表２の判断基準１〜４を組み合わせることができ、これらのすべてが満足される時に、単一のMEASUREMENT REPORTをネットワークに送信することができる。MEASUREMENT REPORTは、原因、例えばVICINITYイベントに加えて、すべての構成された判断基準からの測定された品質および／または位置決め測定結果を含むことができる。あるいは、これを、以前に測定された接続されたセルに基づいて、ＷＴＲＵによって自律的に判定することができる。ネットワークは、ＷＴＲＵ側で測定および判定を開始するようにＷＴＲＵを構成することができる。例えば、フィンガープリント情報、隣接するセルの測定値、またはＧＰＳなどの他のロケーションサービスに基づいて、ＷＴＲＵは、以前に接続されたセルの近傍にあると判定することができ、ＷＴＲＵは、報告をトリガすることができる。
【０１７３】
実施形態は、ＷＴＲＵトリガが前に述べたトリガのいずれかに基づくものである可能性があることを報告が示すことができることを企図する。ＷＴＲＵは、それが以前に接続されていたが現在位置ではもはや使用可能ではない可能性があるセルのセルアイデンティティまたはグローバルセルアイデンティティを示すことができる。オプションで、ＷＴＲＵは、複数のセルのセルアイデンティティを報告することができる。
【０１７４】
さらに、ＷＴＲＵは、このセルの周波数および潜在的にＲＡＴを示すこともできる。このレベルの特定の情報は、ＷＴＲＵがパワーオンされた場合にＷＴＲＵが潜在的にどのセルに接続できるのかをネットワークが正確に判定するのを助けることができる。１つまたは複数のセルアイデンティティに基づいて、ネットワークは、上述した解決策のいずれかを使用して、どのセルをパワーオンすべきかを正確に判定することができる。いくつかの実施形態では、これらの報告のいずれをも、任意のＲＲＣ（無線リソース制御）メッセージまたは測定報告を使用してトリガすることができる。あるいは、ＷＴＲＵは、RRC Connection Setup Complete、RRC Connection Requestなどの初期ＲＲＣセットアップ手順の際におよび／またはＷＴＲＵ無線アクセス能力を使用して、この能力をネットワークに報告することができる。
【０１７５】
実施形態は、ネットワークが初期測定構成メッセージをＷＴＲＵに発行できることを企図する。ＷＴＲＵが測定を実行しつつある可能性がある期間中に、ＷＴＲＵを、あるタイプの測定を達成するために必要である可能性があるネットワークサービスに関する要求をＲＮＣに送信するように構成することができる。例えば、そのようなサービスは、ネットワークからのＩＰＤＬサポートおよび／またはネットワークからの圧縮モードサポートを含むことができるが、これらに限定されない。
【０１７６】
図９に、ＷＴＲＵの自律測定および報告方法の例を示す。符号９０１では、ＷＴＲＵを、ＲＮＣから測定構成を受信する（例えば、ＲＲＣシグナリングを介して）ように構成することができる。符号９０２では、ＷＴＲＵを、測定構成を実行するように構成することができる。符号９０３では、ＷＴＲＵは、特定の測定を搬送するためにネットワークサービスを必要とすると判定することができ、ＷＴＲＵは、サービスのタイプ（例えば、ＩＰＤＬ、圧縮モードなど）をパラメータとして指定された（新しい）NETWORK SERVICE REQUEST（ネットワークサービス要求）メッセージを送信する。符号９０４では、ＷＴＲＵを、潜在的に追加のパラメータ情報（例えば、ＩＰＤＬ、圧縮モードパラメータ）を搬送するNETWORK SERVICE ACKNOWLEDGE（ネットワークサービス肯定応答）メッセージを受信するように構成することができる。符号９０５では、要求されたネットワークサービスが進行中のままであることができる。符号９０６では、ＷＴＲＵを、測定を実行し、近傍判断基準が満足される時に、それがリモートアクセスポイントの近傍内にあることをＲＮＣに報告するように構成することができる。例えば、ＷＴＲＵは、MEASUREMENT REPORTまたは新しいメッセージ（例えば、VICINITY REPORT（近傍報告））を送信することができる。符号９０７では、ＲＮＣを、MEASUREMENT CONTROLメッセージを介してまたはＲＮＣによって行われるＨＡＮＤＯＶＥＲ判断の際に、測定を停止するようにＷＴＲＵに指示するように構成することができる。
【０１７７】
実施形態は、それによってターゲットセルを低アクティビティ状態での測定のために制御できる１つまたは複数の方法を企図する。例えば、実施形態は、ＣＲＮＣ（制御側ＲＮＣ）に、ソースセルを制御できる（ＤＲＮＣ）からのＩｕｒインターフェースを介する測定報告または新しいメッセージによって、フェムトセルへのＷＴＲＵの近傍について知らせることができ、そのフェムトセルを、休眠モードであるものとしてマークすることができる。Ｉｕｒは、例えばＲＮＣ（無線ネットワーク制御装置）のネットワークエンティティとＤＲＮＣ（ｄｒｉｆｔ無線ネットワーク制御装置）との間のリンクとすることができる。これが発生する時には、ＣＲＮＣは、任意の組合せアクションで、またはＷＴＲＵがフェムト／ピコセルを測定することを可能にするために、下記を実行することができる。
【０１７８】
ＷＴＲＵが、ｉｎｔｒａ  ｆｒｅｑｕｅｎｃｙ（周波数内）上にある可能性があり、フェムトセルが、ｉｎｔｒａ  ｆｒｅｑｕｅｎｃｙセルである可能性がある場合に、ＣＲＮＣは、休眠セルにWAKE UP CPICHメッセージを送信することができる。WAKE UP CPICHは、ＣＰＩＣＨ並びに潜在的にＳＣＨおよび／またはＢＣＨ（Ｐ−ＣＣＰＣＨ）（ブロードキャストチャネル  プライマリ共通制御物理チャネル）チャネルを例えば制限された時間期間の間にフェムトセルによってブロードキャストできる場合に、ある時間期間を含むことができる。実施形態は、フェムトセルがＣＳＧ（Closed Subscriber Group）ＨＮＢである場合に、ＣＲＮＣが、ＨＮＢセルをサービスに戻すことができ、いくつかの実施形態ではおそらく戻されなければならないことをコアネットワークに知らせることができ、いくつかの実施形態ではおそらく知らせなければならないことをも企図する。コアネットワークへのＨＮＢの接続の特定のアーキテクチャである可能性があるものに起因して、ＨＮＢのコアネットワークを制御するノードからの特定のWAKE UPメッセージが、ＨＮＢ＿ＧＷ（ＨＮＢゲートウェイ）に送信される場合がある。次に、このゲートウェイは、このWAKE UPメッセージを、このゲートウェイが制御する適当なＨＮＢに伝えることができる。実施形態は、通信トンネルをこの動作中にＣＲＮＣとＨＮＢとの間で作成でき、いくつかの実施形態では作成しなければならないことを企図する。あるいはまたはそれに加えて、ＨＮＢが部分的にＲＮＣでもあることができるので、通信トンネルが、Ｉｕｒタイプインターフェースの形の下で一時的にまたは永久的に存在することができる。このメッセージに肯定応答することができ、いくつかの実施形態では肯定応答しなければならず、肯定応答メッセージを、WAKE UPを開始したＣＲＮＣに伝えることができ、いくつかの実施形態では伝えなければならない。このメッセージは、休眠セルに関するメッセージ内で指定されたパラメータの一部またはすべてを含むことができる。
【０１７９】
実施形態は、時間制限されたウェイクアップについて、制御チャネル（少なくともＣＳＧ  ＩＤ識別についてＭＩＢおよびＳＩＢ３）を、ＷＴＲＵがＭＩＢおよびＣＳＧ  ＩＤ）を獲得することを可能にするために、ある時間期間、例えば約数秒の間、送信でき、いくつかの実施形態では送信しなければならないことを企図する。
【０１８０】
実施形態は、ＷＲＴＵがＣＳＧ  ＨＮＢセルのメンバではない可能性があることを企図する。ＷＲＴＵがＣＳＧ  ＨＮＢセルのメンバではない場合に、ＣＲＮＣは、ＨＮＢが手順の終りにスリープ／休眠モードに戻ることを可能にすることができるメッセージをＨＮＢに送信することができる。あるいは、ＷＲＴＵがＨＮＢのＣＳＧメンバである場合に、ＣＲＮＣは、ＷＲＴＵをＨＮＢにハンドオーバするためにインバウンドモビリティ手順を開始することができる。ＷＴＲＵがＣＳＧ  ＨＮＢのメンバである場合に、ＨＮＢは、タイマを始動することができ、タイマ満了の前に休眠／スリープメッセージオーダーを受信しない場合に、インバウンドハンドオーバ手順が進行中である可能性があるので、通常動作に戻ることができる。あるいは、ＣＳＧ  ＨＮＢは、ハンドオーバ確認の時に、おそらくはＷＲＴＵが既に接続モードであり、ＣＳＧ  ＨＮＢによってサービスされている可能性がある時に、通常動作に戻ることができる。
【０１８１】
WAKE UP CPICHメッセージの受信時に、休眠フェムトセルは、そのトランシーバをオンに切り替えることができ、ＣＰＩＣＨのブロードキャストを開始することができ、いくつかの実施形態では、ＳＣＨおよび／またはＢＣＨ（Ｐ−ＣＣＰＣＨ）チャネルのブロードキャストを開始することができる。制限された時間期間が指示される場合には、満了の後に、フェムトセルは、ＣＰＩＣＨをオフに切り替えることができ、いくつかの実施形態ではＳＣＨおよび／またはＢＣＨ（Ｐ−ＣＣＰＣＨ）チャネルをオフに切り替えることができ、休眠モード要件に従ってそのトランシーバをオフに切り替えることができる。休眠モードに戻る時に、フェムトセルは、例えば、おそらくはＣＲＮＣのイニシアティブでオープンされた通信トンネルを介して、遷移についてＣＲＮＣに知らせる指示をＣＲＮＣに送信することができる。
【０１８２】
フェムトセルが、第１のCPICH WAKE UPオーダーを実行している間にＣＲＮＣから別のWAKE UP CPICHメッセージを受信する場合には、フェムトセルは、ＣＰＩＣＨを延長し、いくつかの実施形態ではＳＣＨおよび／またはＢＣＨ（Ｐ−ＣＣＰＣＨ）チャネルを延長し、示された時間期間を用いてまたは時間期間が示されない場合には無限にブロードキャストすることができる。
【０１８３】
あるいは、時間期間要素がWAKE UP CPICHメッセージ内に存在しない場合には、フェムトセルは、そのＣＰＩＣＨをオンに切り替えることができ、いくつかの実施形態ではＳＣＨおよび／またはＢＣＨ（Ｐ−ＣＣＰＣＨ）チャネルをオンに切り替えることができ、休眠モードに入る新しいオーダーがＣＲＮＣから受信され得るまで、ＣＩＰＣＨをオンに保つことができる。
【０１８４】
あるいは、ＣＰＩＣＨ並びにいくつかの実施形態ではＳＣＨおよび／またはＢＣＨ（Ｐ−ＣＣＰＣＨ）チャネルブロードキャストの制限された時間期間は、例えばＷＴＲＵによって供給され得る初期近傍測定に基づいてＣＲＮＣによって計算され得る時間遅れの後に始まることができる。ＣＰＩＣＨ並びにいくつかの実施形態ではＳＣＨおよび／またはＢＣＨ（Ｐ−ＣＣＰＣＨ）チャネルが、制限された時間の間にブロードキャストできる場合には、ＣＲＮＣは、ＣＰＩＣＨブロードキャストの時間期間（制限される場合に）および時間遅れがある場合に遅延オフセットを測定するためのＰＳＣのうちの少なくとも１つを含む測定制御をＷＴＲＵに送信することができる。
【０１８５】
実施形態は、ＣＰＩＣＨ並びにいくつかの実施形態でＳＣＨおよび／またはＢＣＨ（Ｐ−ＣＣＰＣＨ）チャネルが、周期的測定インターバル、ｉｎｔｒａ  ｆｒｅｑｕｅｎｃｙイベントに関するトリガすべき時刻、および／または本明細書で説明されるロケーション測定に基づいて（これに限定されない）計算できる時間期間をブロードキャストできることを企図するものである。
【０１８６】
あるいは、ＣＲＮＣは、ＣＰＩＣＨブロードキャスト並びにいくつかの実施形態でＳＣＨおよび／またはＢＣＨ（Ｐ−ＣＣＰＣＨ）チャネルに制限された時間期間を使用しない場合があり、開始した後に、ＷＴＲＵが測定報告を送信し得るまでこれをオンに保つことができる。ＷＴＲＵからの受信された測定報告および／またはイベントの際に、ＣＲＮＣは、フェムトセルをアクティブモードでオンに切り替えると判断し、ハンドオーバを実行するか、これを休眠モードに戻すことができる。
【０１８７】
フェムトセルがｉｎｔｅｒ  ｆｒｅｑｕｅｎｃｙ（周波数間）で動作しつつある場合に、ＣＲＮＣは、ＣＰＩＣＨ並びにいくつかの実施形態でＳＣＨおよび／またはＢＣＨ（Ｐ−ＣＣＰＣＨ）チャネルを適合させ、ｉｎｔｅｒ  ｆｒｅｑｕｅｎｃｙ報告インターバルまでの周期をブロードキャストすることができ、例えば測定ギャップ構成、ＣＰＩＣＨブロードキャストアクティブ化時刻、ギャップアクティブ化時刻もしくは時間オフセット、および／またはセルがこのモード（inter frequency）で動作しつつある場合にＣＰＩＣＨブロードキャストの制限された時間のうちの少なくとも１つをＷＴＲＵに与えることができる。ＣＲＮＣは、以前に説明されたパラメータを送信するための１つまたは複数の新しいＩＥを有するMeasurement Control ＲＲＣメッセージまたは新しい専用ＲＲＣメッセージを使用することができる。
【０１８８】
実施形態は、ＣＰＩＣＨ並びにいくつかの実施形態でＳＣＨおよびおそらくはＢＣＨ（Ｐ−ＣＣＰＣＨ）チャネルの制限された時間のブロードキャストの場合に、他のＷＴＲＵが誤ってターゲットセルにキャンプするのを防ぐために、ターゲットセルをサービスについて禁止できることを企図する。そのような場合に、ターゲットセルは、フルアクティブ化時に通常サービスに戻る（例えば、禁止されない）ことができる。
【０１８９】
実施形態は、ＮｏｄｅＢが、測定値およびトリガのセットに基づいて自律的に休眠モードになることを可能にすることができる方法を企図する。例えば、フェムトセルは、休眠モードをトリガすべき時刻のパラメータをＣＲＮＣから受信することができる。これは、新しいＩＥとしてのフェムトセル構成パラメータのうちの１つとしてのインアクティビティ並びにトリガとして働くことができまたはおそらくは働くであろう監督すべき低アクティビティ検出パラメータの場合に発生し得る。例えば、フェムトセルが、休眠モードになるためにそれをトリガすべき判断基準を用いて説明されたように構成される場合に、この判断基準を、フェムトセル構成パラメータ内の新しいＩＥ（情報要素）として供給することができる。ＩＥまたはフェムトセル構成によって記述され／定義されるインアクティビティ判断基準が満足される場合には、セルは、自律的に休眠になることができる。
【０１９０】
トリガすべき時刻インターバルに関するＷＴＲＵコンテキストがないことまたはトリガすべき時刻インターバルに関する接続モードアクティビティを伴わないフェムトセルに登録された非常に少数のＷＴＲＵコンテキストを意味する低アクティビティの検出時に、フェムトセルは、ＮＢＡＰインターフェースを介して、休眠モードになる意図についてＣＲＮＣに知らせるメッセージを送信することができる。あるいは、ＷＴＲＵがフェムトセルに登録されていない時の低アクティビティを、定義されたトリガすべき時刻インターバルに関するアクセス要求の欠如によってトリガすることができる。あるいは、フェムトセルは、アクティブ状態／休眠モードに関するそのＣＲＮＣに関する定義されたタイムスケジュールを受信することができる。そのような実施形態では、フェムトセルは、そのＣＲＮＣによって供給されるスケジュールに従い、例えば他の低アクティビティトリガを考慮せずに休眠モードになることができる。
【０１９１】
あるいは、いくつかの実施形態で、フェムトセルは、ＣＲＮＣによってスケジューリングされた期間内に限って、休眠モードになるために前に説明した自己判断アルゴリズムを適用することができる。ＣＲＮＣは、休眠モードインジケータを休眠モードに入るためにセットされたセル再構成メッセージを用いてフェムトセルに確認し、あるいは、単に休眠モードであるものとしてセルをマークし、上のセクションで説明した監督アルゴリズムを始動することができる。
【０１９２】
実施形態は、ＮｏｄｅＢが少なくとも測定値およびトリガのセットに基づいて休眠モードから自律的に出ることを可能にすることができる方法を企図する。例えば、実施形態は、ＣＲＮＣが、セル構成パラメータ内に休眠モードスケジュールに関する新しいＩＥを含めることができることを企図する。具体的に言うと、定義されたタイムインターバルを、フェムトセルが従うことのできる休眠モードおよびアクティブ状態について指定することができる。前に説明したスケジュールに基づいて、フェムトセルは、スケジュールに基づいてウェイクアップし、アクティブのままになると判断することができ、このスケジュールは、いくつかの実施形態で厳密なスケジュールとすることができる。
【０１９３】
あるいは、ＣＲＮＣは、より複雑なスケジュールをフェムトセルに与えることができ、ここで、休眠モードを、アクティビティパラメータによって条件付けることができ、かつ／または休眠モードを、例えばＤＴＸサイクルまたは短いウェイクアップ期間を有する休眠モードとすることができる。ＣＲＮＣは、フェムトセルが休眠である間に周期的ウェイクアップスケジュールを指定することができる。このウェイクアップスケジュールは、フルアクティブ状態を含むことができ、スリープに戻る判断基準は、例えば厳密なスケジュールまたは低アクティビティ検出に基づく本明細書で説明された方法のいずれかまたは組合せとすることができる。
【０１９４】
あるいは、いくつかの実施形態で、ＣＲＮＣは、前に説明した近傍内のＷＴＲＵの測定を同期化するのに使用できる厳密なスケジュールに基づいて、休眠モードである間のＤＴＸモード内のＣＰＩＣＨだけを用いてフェムトセルをウェイクアップすることができる。
【０１９５】
特徴および要素を、上記では特定の組合せで説明したが、当業者は、各特徴または要素を単独でまたは他の特徴および要素との任意の組合せで使用できることを了解するであろう。さらに、本明細書で説明される方法を、コンピュータまたはプロセッサによる実行のためにコンピュータ可読媒体内に組み込まれたコンピュータプログラム、ソフトウェア、またはファームウェアで実施することができる。コンピュータ可読媒体の例は、電子信号（有線または無線の接続を介して送信される）およびコンピュータ可読記憶媒体を含む。コンピュータ可読記憶媒体の例は、ＲＯＭ、ＲＡＭ、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびＤＶＤ（ディジタル多用途ディスク）などの光学媒体を含むが、これらに限定されない。ソフトウェアに関連するプロセッサを使用して、ＷＴＲＵ、ＵＥ、端末、基地局、ＲＮＣ、または任意のホストコンピュータ内で使用されるラジオ周波数トランシーバを実施することができる。
【図１Ａ】
0005890319.tif 000004
【図１Ｂ】
0005890319.tif 000005
【図２】
0005890319.tif 000006
【図３】
0005890319.tif 000007
【図４】
0005890319.tif 000008
【図５】
0005890319.tif 000009
【図６】
0005890319.tif 000010
【図７】
0005890319.tif 000011
【図８】
0005890319.tif 000012
【図９】
0005890319.tif 000013
【図１０】
0005890319.tif 000014